(57)【特許請求の範囲】
【請求項１】
基地局装置により、ダウンリンク制御情報（DCI）をダウンリンクサブフレームの物理ダウンリンク制御チャネル（PDCCH）で送信するステップであって、前記DCIが、アップリンクサブフレームで物理ダウンリンク共有チャネル（PDSCH）情報を受信するようにユーザ機器（UE）に指示するために使用される、ステップと、
前記基地局装置により、前記アップリンクサブフレームで前記PDSCH情報を送信するステップと、
を備え、
基地局装置によりDCIをダウンリンクサブフレームのPDCCHで送信する前記ステップが以下を満たし、すなわち、前記基地局装置により送信される前記DCIのbitの量は、前記基地局装置により送信されるDCI format 0／format 1Aのbitの量と同じであり、前記基地局装置により送信される前記DCIが巡回冗長検査（CRC）及び／又はスクランブリングコードを備え、前記CRC及び／又は前記スクランブリングコードは、前記PDSCH情報を前記アップリンクサブフレームで受信するように前記UEに指示するために使用され、
前記CRCは、以下の様式：
Ck = (ak + (bk + xrnti,k) mod 2) mode 2, k = 0,1,…,15
で決定され、akは、スクランブリングコード、bkは、CRC、そしてxrnti,kは、スクランブリング又はマスキングC-RNTIコードであるダウンリンク制御情報送信方法。
【請求項２】
前記方法は、
前記基地局装置により、通知メッセージを前記UEへ送信するステップを更に備え、前記通知メッセージは、DCIを送信するために使用されるダウンリンクサブフレームのサブフレーム数とPDSCH情報を送信するために使用されるアップリンクサブフレームのサブフレーム数との間の対応を示すために使用され、前記通知メッセージは、システム情報ブロック（SIB）又は無線リソース制御（RRC）シグナリングのうちの少なくとも1つ以上を備える、
請求項1に記載の方法。
【請求項３】
前記PDSCH情報を受信するように前記UEに指示するために使用される前記アップリンクサブフレームのサブフレーム数は、前記DCIを送信するために前記基地局装置により使用される前記ダウンリンクサブフレームのサブフレーム数と同じである、請求項1に記載の方法。
【請求項４】
基地局装置によりDCIをダウンリンクサブフレームのPDCCHで送信する前記ステップの前に、前記方法は、
ダウンリンク伝送モード情報を前記基地局装置によって前記UEへ送信するステップを更に備え、前記ダウンリンク伝送モード情報は、前記DCIのフォーマット情報を検出するように前記UEに指示するために使用される、請求項1又は請求項3に記載の方法。
【請求項５】
ダウンリンク伝送モード情報を前記基地局装置によって前記UEへ送信する前記ステップは、
RRCシグナリングを使用することにより前記ダウンリンク伝送モード情報を前記UEへ前記基地局装置によって送信するステップを備える、請求項4に記載の方法。
【請求項６】
基地局装置によってダウンリンク制御情報DCIをダウンリンクサブフレームのPDCCHで送信する前記ステップの前に、前記方法は、
前記PDSCH情報を送信するために使用され得るアップリンクサブフレームを前記基地局装置によって選択するとともに、DCIを送信するために使用されるダウンリンクサブフレームのサブフレーム数とPDSCH情報を送信するために使用されるアップリンクサブフレームのサブフレーム数との間の対応にしたがって、前記PDSCH情報を送信するために使用される選択された前記アップリンクサブフレームのサブフレーム数に対応するダウンリンクサブフレームのサブフレーム数を決定するステップを更に備え、
基地局装置によりDCIをPDCCHで送信する前記ステップは、
前記ダウンリンクサブフレームの前記決定されたサブフレーム数に対応する前記ダウンリンクサブフレームの前記PDCCHで前記DCIを前記基地局装置により送信するステップを備え、
前記基地局装置により前記アップリンクサブフレームで前記PDSCH情報を送信する前記ステップは、
前記PDSCH情報を選択された前記アップリンクサブフレームで前記基地局装置により送信するステップを備える、
請求項1から5のいずれか一項に記載の方法。
【請求項７】
前記PDSCH情報を送信するために前記基地局装置により使用される前記アップリンクサブフレームは、前記PDSCH情報のみを送信するために使用され、PDCCH情報、物理制御フォーマット指示チャネル（PCFICH）情報、又は、物理ハイブリッド自動再送要求指示チャネル（PHICH）情報を送信するために使用されない、請求項1から6のいずれか一項に記載の方法。
【請求項８】
前記アップリンクサブフレームがアップリンクキャリアで運ばれ、前記ダウンリンクサブフレームがダウンリンクキャリアで運ばれ、前記アップリンクキャリア及び前記ダウンリンクキャリアは、周波数分割双方向（FDD）システムで設定される無線スペクトルリソースである、請求項1から7のいずれか一項に記載の方法。
【請求項９】
基地局装置により送信されるダウンリンク制御情報（DCI）をユーザ機器（UE）により受信するステップであって、前記DCIが、アップリンクサブフレームで物理ダウンリンク共有チャネル（PDSCH）情報を受信するように前記UEに指示する、ステップと、
前記DCIにしたがって、前記基地局装置により送信される前記PDSCH情報を前記アップリンクサブフレームで前記UEにより受信するステップと、
を備え、
基地局装置により送信されるDCIをUEにより受信する前記ステップは
前記基地局装置により送信される前記DCIに関してブラインド検出をダウンリンク伝送モード情報にしたがって前記UEにより行うステップを備え、前記基地局装置により送信される前記DCIが以下を満たし、すなわち、前記基地局装置により送信される前記DCIのbitの量は、前記基地局装置により送信されるDCI format 0／format 1Aのbitの量と同じであり、前記基地局装置により送信される前記DCIが巡回冗長検査（CRC）及び／又はスクランブリングコードを備え、前記CRC及び／又は前記スクランブリングコードは、前記PDSCH情報を前記アップリンクサブフレームで受信するように前記UEに指示するために使用され、
前記基地局装置により送信される前記DCIに関してブラインド検出を前記ダウンリンク伝送モード情報にしたがって前記UEにより行う前記ステップは、
DCIの断片が検出される度に、前記検出されたDCIの巡回冗長検査（CRC）をスクランブリング又はマスキングC−RNTIコードxrnti，kを使用することによって前記UEによりデスクランブルする或いはデマスキングするとともに、前記デスクランブリング又はデマスキングの後に得られた前記CRCがbkであるかどうかを決定するステップと、
前記得られたCRCがbkでなければ、前記検出されたDCIの前記CRCを前記スクランブリング又はマスキングC−RNTIコードxrnti，k及びスクランブリングコードakを使用することによりデスクランブルする或いはデマスキングするとともに、前記デスクランブリング又はデマスキングの後に得られた前記CRCがCkであるときに、前記基地局装置により送信され且つ前記PDSCH情報を前記アップリンクサブフレームで受信するように前記UEに指示するために使用される前記DCIが受信されると決定するステップと、
を備えるダウンリンク制御情報受信方法。
【請求項１０】
前記方法は、
前記基地局装置により送信される通知メッセージを前記UEにより受信するステップを更に備え、前記通知メッセージは、DCIを送信するために使用されるダウンリンクサブフレームのサブフレーム数とPDSCH情報を送信するために使用されるアップリンクサブフレームのサブフレーム数との間の対応を示すために使用され、前記通知メッセージは、システム情報ブロック（SIB）又は無線リソース制御（RRC）シグナリングのうちの少なくとも1つ以上を備える、
請求項9に記載の方法。
【請求項１１】
基地局装置により送信されるDCIをUEにより受信する前記ステップは、
前記基地局装置により送信される前記DCIをブラインド検出態様で前記UEにより受信するステップを備える、請求項9又は請求項10に記載の方法。
【請求項１２】
基地局装置により送信されるDCIを前記UEによって受信する前記ステップの前に、前記
方法は、
前記基地局装置によって送信されるダウンリンク伝送モード情報を前記UEにより受信するステップを更に備え、前記ダウンリンク伝送モード情報は、前記DCIのフォーマット情報を検出するように前記UEに指示するために使用される、
請求項9に記載の方法。
【請求項１３】
基地局装置により送信されるDCIをUEにより受信する前記ステップの後に、前記方法は、
前記DCIが受信されるダウンリンクサブフレームのサブフレーム数を前記UEにより決定するステップを更に備え、
前記DCIにしたがって前記基地局装置により送信される前記PDSCH情報を前記アップリンクサブフレームで前記UEにより受信する前記ステップは、
DCIを送信するために使用されるダウンリンクサブフレームのサブフレーム数とPDSCH情報を送信するために使用されるアップリンクサブフレームのサブフレーム数との間の対応と、前記DCIが受信される前記ダウンリンクサブフレームの前記決定されたサブフレーム数とにしたがって、前記PDSCH情報を送信するために前記基地局装置により使用される前記アップリンクサブフレームのサブフレーム数を前記UEにより決定するステップと、
前記アップリンクサブフレームの前記決定されたサブフレーム数に対応する前記アップリンクサブフレームで、前記基地局装置により送信される前記PDSCH情報を前記UEにより受信するステップと、
を備える、
請求項9から12のいずれか一項に記載の方法。
【請求項１４】
前記UEが前記PDSCH情報を受信するときに、前記方法は、
肯定応答／否定応答ACK／NACKを前記UEによって前記基地局装置へ送信するステップを
更に備える、
請求項9から13のいずれか一項に記載の方法。
【請求項１５】
ACK／NACKを前記基地局装置へ前記UEにより送信する前記ステップは、
DCIを受信するために使用されるダウンリンクサブフレームのサブフレーム数とACK／NACKを送信するために使用されるアップリンクサブフレームのサブフレーム数との間の対応にしたがって、前記ACK／NACKを送信するために使用されるアップリンクサブフレームのサブフレーム数を前記UEにより決定するとともに、前記アップリンクサブフレームの前記決定されたサブフレーム数に対応する前記アップリンクサブフレームで前記ACK／NACKを送信するステップを備える、
請求項14に記載の方法。
【請求項１６】
ACK／NACKを前記基地局装置へ前記UEにより送信する前記ステップは、
PDSCH情報を受信するために使用されるアップリンクサブフレームのサブフレーム数とACK／NACKを送信するために使用されるアップリンクサブフレームのサブフレーム数との間の対応にしたがって、前記ACK／NACKを送信するために使用されるアップリンクサブフレームのサブフレーム数を前記UEにより決定するとともに、前記アップリンクサブフレームの前記決定されたサブフレーム数に対応する前記アップリンクサブフレームで前記ACK／NACKを送信するステップを備える、
請求項14に記載の方法。
【請求項１７】
アップリンクサブフレームの前記決定されたサブフレーム数に対応するアップリンクサブフレームで前記ACK／NACKを前記UEにより送信する前記ステップは、
前記ACK／NACKを送信するために使用される前記アップリンクサブフレームの前記サブフレーム数に対応する前記アップリンクサブフレームがダウンリンクサービスを送信するためにスケジュールされてしまったときに、ダウンリンクサービスを送信するためにスケジュールされなかったアップリンクサブフレームであって、前記アップリンクサブフレームの前記決定されたサブフレーム数とのその差が最小であるアップリンクサブフレームを前記UEにより再選択して、その再選択されたアップリンクサブフレームで前記ACK／NACKを送信するステップを備える、
請求項15又は請求項16に記載の方法。
【請求項１８】
ダウンリンク制御情報送信装置であって、
ダウンリンク制御情報（DCI）をダウンリンクサブフレームの物理ダウンリンク制御チャネル（PDCCH）で送信するように構成されるDCI送信モジュールであって、前記DCIが、アップリンクサブフレームで物理ダウンリンク共有チャネル（PDSCH）情報を受信するようにユーザ機器(UE)に指示するために使用される、ダウンリンク制御情報(DCI)送信モジュールと、
前記アップリンクサブフレームで前記PDSCH情報を送信するように構成されるPDSCH情報送信モジュールと、
を備え、
前記送信装置が前記ダウンリンクサブフレームの前記PDCCHで前記DCIを送信することは、以下を満たし、すなわち、前記送信装置により送信される前記DCIのbitの量は、前記送信装置により送信されるDCI format 0／format 1Aのbitの量と同じであり、前記送信装置により送信される前記DCIが巡回冗長検査（CRC）及び／又はスクランブリングコードを備え、前記CRC及び／又は前記スクランブリングコードは、前記PDSCH情報を前記アップリンクサブフレームで受信するように前記UEに指示するために使用され、
前記CRCは、以下の様式：
Ck = (ak + (bk + xrnti,k) mod 2) mode 2, k = 0,1,…,15
で決定され、akは、スクランブリングコード、bkは、CRC、そしてxrnti,kは、スクランブリング又はマスキングC-RNTIコードであるダウンリンク制御情報送信装置。
【請求項１９】
前記装置は、
通知メッセージを前記UEへ送信するように構成される通知メッセージ送信モジュールを更に備え、前記通知メッセージは、DCIを送信するために使用されるダウンリンクサブフレームのサブフレーム数とPDSCH情報を送信するために使用されるアップリンクサブフレームのサブフレーム数との間の対応を示すために使用され、前記通知メッセージは、システム情報ブロック（SIB）又は無線リソース制御（RRC）シグナリングのうちの少なくとも1つ以上を備える、
請求項18に記載の送信装置。
【請求項２０】
前記PDSCH情報を受信するように前記UEに指示するために使用される前記アップリンクサブフレームのサブフレーム数は、前記DCIを送信するために前記送信装置により使用される前記ダウンリンクサブフレームのサブフレーム数と同じである、請求項18に記載の送信装置。
【請求項２１】
前記送信装置がモード情報送信モジュールを更に備え、
前記モード情報送信モジュールは、前記DCI送信モジュールが前記DCIを前記ダウンリンクサブフレームの前記PDCCHで送信するステップの前にダウンリンク伝送モード情報を前記ユーザ機器(UE)へ送信するように構成され、前記ダウンリンク伝送モード情報は、前記DCIのフォーマット情報を検出するように前記UEに指示するために使用される、請求項18又は請求項20に記載の送信装置。
【請求項２２】
前記モード情報送信モジュールは、特に、RRCシグナリングを使用することによって前記ダウンリンク伝送モード情報を前記UEに送信するように構成される請求項21に記載の送信装置。
【請求項２３】
前記送信装置がサブフレーム決定モジュールを更に備え、
前記サブフレーム決定モジュールは、前記DCI送信モジュールが前記DCIを前記ダウンリンクサブフレームの前記PDCCHで送信するステップの前に、前記PDSCH情報を送信するために使用され得るアップリンクサブフレームを選択するとともに、DCIを送信するために使用されるダウンリンクサブフレームのサブフレーム数とPDSCH情報を送信するために使用されるアップリンクサブフレームのサブフレーム数との間の対応にしたがって、前記PDSCH情報を送信するために使用される選択された前記アップリンクサブフレームのサブフレーム数に対応するダウンリンクサブフレームのサブフレーム数を決定するように構成され、
前記DCI送信モジュールは、特に、前記ダウンリンクサブフレームの前記決定されたサブフレーム数に対応する前記ダウンリンクサブフレームの前記PDCCHで前記ダウンリンク制御情報(DCI)を送信するように構成され、
前記PDSCH送信モジュールは、特に、前記PDSCH情報を選択された前記アップリンクサブフレームで送信するように構成される、
請求項18から22のいずれか一項に記載の送信装置。
【請求項２４】
前記PDSCH情報を送信するために前記送信装置により使用される前記アップリンクサブフレームは、前記PDSCH情報のみを送信するために使用され、PDCCH情報、物理制御フォーマット指示チャネル（PCFICH）情報、又は、物理ハイブリッド自動再送要求指示チャネル（PHICH）情報を送信するために使用されない、請求項18から23のいずれか一項に記載の送信装置。
【請求項２５】
前記アップリンクサブフレームがアップリンクキャリアで運ばれ、前記ダウンリンクサブフレームがダウンリンクキャリアで運ばれ、前記アップリンクキャリア及び前記ダウンリンクキャリアは、周波数分割双方向（FDD）システムで設定される無線スペクトルリソースである、請求項18から24のいずれか一項に記載の送信装置。
【請求項２６】
基地局装置により送信されるダウンリンク制御情報（DCI）を受信するように構成されるDCI受信モジュールであって、前記DCIが、アップリンクサブフレームで物理ダウンリンク共有チャネル（PDSCH）情報を受信するようにユーザ機器（UE）に指示する、ダウンリンク制御情報DCI受信モジュールと、
前記DCI受信モジュールにより受信される前記DCIにしたがって、前記基地局装置により送信される前記PDSCH情報を前記アップリンクサブフレームで受信するように構成されるPDSCH情報受信モジュールと、
を備え、
前記DCI受信モジュールは、特に、前記基地局装置により送信される前記DCIに関してブラインド検出をダウンリンク伝送モード情報にしたがって行うように構成され、前記基地局装置により送信される前記DCIは以下を満たし、すなわち、前記基地局装置により送信される前記DCIのbitの量は、前記基地局装置により送信されるDCI format 0／format 1Aのbitの量と同じであり、前記基地局装置により送信される前記DCIが巡回冗長検査（CRC）及び／又はスクランブリングコードを備え、前記CRC及び／又は前記スクランブリングコードは、前記PDSCH情報を前記アップリンクサブフレームで受信するように前記UEに指示するために使用され、
前記DCI受信モジュールは、特に、DCIの断片が検出される度に、前記検出されたDCIのCRCをスクランブリング又はマスキングC−RNTIコードxrnti，kを使用することによってデスクランブルする或いはデマスキングするとともに、前記デスクランブリング又はデマスキングの後に得られた前記CRCがbkであるかどうかを決定するように構成され、及び、
前記得られたCRCがbkでなければ、前記検出されたDCIの前記CRCを前記スクランブリング又はマスキングC−RNTIコードxrnti，k及びスクランブリングコードakを使用することによりデスクランブルする或いはデマスキングするとともに、前記デスクランブリング又はデマスキングの後に得られた前記CRCがCkであるときに、前記基地局装置により送信され且つ前記PDSCH情報を前記アップリンクサブフレームで受信するように前記UEに指示するために使用される前記DCIが受信されると決定するように構成されるダウンリンク制御情報受信装置。
【請求項２７】
前記受信装置は、
前記基地局装置により送信される通知メッセージを受信するように構成される通知メッセージ受信モジュールを更に備え、前記通知メッセージは、DCIを送信するために使用されるダウンリンクサブフレームのサブフレーム数とPDSCH情報を送信するために使用されるアップリンクサブフレームのサブフレーム数との間の対応を示すために使用され、前記通知メッセージは、システム情報ブロック（SIB）又は無線リソース制御RRCシグナリングのうちの少なくとも1つ以上を備える、
請求項26に記載の受信装置。
【請求項２８】
前記DCI受信モジュールは、特に、前記基地局装置により送信される前記DCIをブラインド検出態様で受信するように構成される請求項26又は請求項27に記載の受信装置。
【請求項２９】
前記受信装置は、
前記DCI受信モジュールが前記基地局装置により送信される前記DCIを受信する前に前記基地局装置によって送信されるダウンリンク伝送モード情報を受信するように構成される伝送モード情報受信モジュールを更に備え、前記ダウンリンク伝送モード情報は、前記DCIのフォーマット情報を検出するように前記UEに指示するために使用される、請求項26に記載の受信装置。
【請求項３０】
前記受信装置がサブフレーム数決定モジュールを更に備え、
前記サブフレーム数決定モジュールは、前記DCI受信モジュールが前記基地局装置により送信される前記DCIを受信した後に、前記DCIが受信されるダウンリンクサブフレームのサブフレーム数を決定するように構成され、
前記PDSCH情報受信モジュールは、特に、DCIを送信するために使用されるダウンリンクサブフレームのサブフレーム数とPDSCH情報を送信するために使用されるアップリンクサブフレームのサブフレーム数との間の対応と、前記DCIが受信される前記ダウンリンクサブフレームの前記決定されたサブフレーム数とにしたがって、前記PDSCH情報を送信するために前記基地局装置により使用される前記アップリンクサブフレームのサブフレーム数を決定するとともに、前記アップリンクサブフレームの前記決定されたサブフレーム数に対応する前記アップリンクサブフレームで、前記基地局装置により送信される前記PDSCH情報を受信するように構成される、
請求項26から29のいずれか一項に記載の受信装置。
【請求項３１】
前記受信装置が送信モジュールを更に備え、
前記送信モジュールは、前記PDSCH情報受信モジュールが前記PDSCH情報を受信するときに肯定応答／否定応答ACK／NACKを前記基地局装置へ送信するように構成される、
請求項26から30のいずれか一項に記載の受信装置。
【請求項３２】
前記送信モジュールは、特に、DCIを受信するために使用されるダウンリンクサブフレームのサブフレーム数とACK／NACKを送信するために使用されるアップリンクサブフレームのサブフレーム数との間の対応にしたがって、前記ACK／NACKを送信するために使用されるアップリンクサブフレームのサブフレーム数を決定するとともに、前記アップリンクサブフレームの前記決定されたサブフレーム数に対応するアップリンクサブフレームで前記ACK／NACKを送信するように構成される請求項31に記載の受信装置。
【請求項３３】
前記送信モジュールは、特に、PDSCH情報を受信するために使用されるアップリンクサブフレームのサブフレーム数とACK／NACKを送信するために使用されるアップリンクサブフレームのサブフレーム数との間の対応にしたがって、前記ACK／NACKを送信するために使用されるアップリンクサブフレームのサブフレーム数を決定するとともに、前記アップリンクサブフレームの前記決定されたサブフレーム数に対応する前記アップリンクサブフレームで前記ACK／NACKを送信するように構成される請求項31に記載の受信装置。
【請求項３４】
前記送信モジュールは、特に、前記ACK／NACKを送信するために使用される前記アップリンクサブフレームの前記サブフレーム数に対応する前記アップリンクサブフレームがダウンリンクサービスを送信するためにスケジュールされてしまったときに、ダウンリンクサービスを送信するためにスケジュールされなかったアップリンクサブフレームであって、前記アップリンクサブフレームの前記決定されたサブフレーム数とのその差が最小であるアップリンクサブフレームを再選択して、その再選択されたアップリンクサブフレームで前記ACK／NACKを送信するように構成される、請求項32又は請求項33に記載の受信装置。
【請求項３５】
請求項1から8のうちのいずれか一項のステップをコンピュータに実行させるプログラム。
【請求項３６】
請求項9から17のうちのいずれか一項のステップをコンピュータに実行させるプログラム。
【発明の詳細な説明】
【技術分野】
【０００１】
本発明は、無線通信技術の分野に関し、特に、ダウンリンク制御情報送信方法及び装置、並びに、ダウンリンク制御情報受信方法及び装置に関する。
【背景技術】
【０００２】
モバイル通信システムにおけるユーザの数の増大に伴って、特に、単一のユーザのトラフィック量の増大に伴って、無線リソースが益々乏しいリソースになってきている。
【０００３】
FDD（Frequency Division Duplex、周波数分割双方向）システムでは、アップリンク周波数帯域及びダウンリンク周波数帯域に関して同じ帯域幅が使用される。しかしながら、現在、アップリンクトラフィック量はダウンリンクトラフィック量よりもかなり少なく、そのため、ダウンリンクトラフィック量の要件を満たすために比較的多い無線スペクトルリソースを割り当てる必要がある。アップリンクサービスを伝送するためにこれらの無線スペクトルリソースが使用される場合、多量の無線スペクトルリソースが使われておらず、この問題が無線スペクトルリソースの比較的低い利用をもたらすことが使用プロセスから分かる。
【発明の概要】
【課題を解決するための手段】
【０００４】
これを考慮して、本発明の実施形態は、無線スペクトルリソースの比較的低い利用の既存の問題を解決するために使用される、ダウンリンク制御情報送信方法及び装置、並びに、ダウンリンク制御情報受信方法及び装置を提供する。
【０００５】
本発明の第1の態様によれば、
基地局装置により、ダウンリンク制御情報DCIをダウンリンクサブフレームの物理ダウンリンク制御チャネルPDCCHで送信するステップであって、DCIが、アップリンクサブフレームで物理ダウンリンク共有チャネルPDSCH情報を受信するようにユーザ機器UEに指示するために使用される、ステップと、
基地局装置により、アップリンクサブフレームでPDSCH情報を送信するステップと、
を含むダウンリンク制御情報送信方法が提供される。
【０００６】
本発明の第1の態様に関連して、第1の想定し得る実施態様において、方法は、
基地局装置により、通知メッセージをユーザ機器UEへ送信するステップを更に含み、通知メッセージは、DCIを送信するために使用されるダウンリンクサブフレームのサブフレーム数とPDSCH情報を送信するために使用されるアップリンクサブフレームのサブフレーム数との間の対応を示すために使用され、また、通知メッセージは、システム情報ブロックSIB又は無線リソース制御RRCシグナリングのうちの少なくとも1つ以上を含む。
【０００７】
本発明の第1の態様に関連して、第2の想定し得る実施態様では、基地局装置によりDCIをダウンリンクサブフレームのPDCCHで送信するステップが以下を満たし、すなわち、基地局装置により送信されるDCIのbitの量は、基地局により送信されるDCI format 0／format 1Aのビbitの量と同じであり、また、基地局装置により送信されるDCIがチェックコードCRC及び／又はスクランブリングコードを含み、この場合、CRC及び／又はスクランブリングコードは、物理ダウンリンク共有チャネルPDSCH情報をアップリンクサブフレームで受信するようにUEに指示するために使用される。
【０００８】
本発明の第1の態様の第2の想定し得る実施態様に関連して、第3の想定し得る実施態様において、PDSCH情報を受信するようにUEに指示するために使用されるアップリンクサブフレームのサブフレーム数は、DCIを送信するために基地局装置により使用されるダウンリンクサブフレームのサブフレーム数と同じである。
【０００９】
本発明の第1の態様の第2の想定し得る実施態様に関連して、又は、本発明の第1の態様の第3の想定し得る実施態様に関連して、第4の想定し得る実施態様において、基地局装置によりダウンリンク制御情報DCIをダウンリンクサブフレームの物理ダウンリンク制御チャネルPDCCHで送信するステップの前に、方法は、
ダウンリンク伝送モード情報を基地局装置によってユーザ機器UEへ送信するステップを更に含み、ダウンリンク伝送モード情報は、ダウンリンク制御情報DCIのフォーマット情報を検出するようにUEに指示するために使用される。
【００１０】
本発明の第1の態様の第4の想定し得る実施態様に関連して、第5の想定し得る実施態様において、ダウンリンク伝送モード情報を基地局装置によってユーザ機器UEへ送信するステップは、
無線リソース制御RRCシグナリングを使用することによりダウンリンク伝送モード情報をユーザ機器UEへ基地局装置によって送信するステップを含む。
【００１１】
本発明の第1の態様に関連して、本発明の第1の態様の第1の想定し得る実施態様に関連して、本発明の第1の態様の第2の想定し得る実施態様に関連して、本発明の第1の態様の第3の想定し得る実施態様に関連して、本発明の第1の態様の第4の想定し得る実施態様に関連して、又は、本発明の第1の態様の第5の想定し得る実施態様に関連して、第6の想定し得る実施態様において、基地局装置によってダウンリンク制御情報DCIをダウンリンクサブフレームの物理ダウンリンク制御チャネルPDCCHで送信するステップの前に、方法は、
PDSCH情報を送信するために使用され得るアップリンクサブフレームを基地局装置によって選択するとともに、DCIを送信するために使用されるダウンリンクサブフレームのサブフレーム数とPDSCH情報を送信するために使用されるアップリンクサブフレームのサブフレーム数との間の対応にしたがって、PDSCH情報を送信するために使用される選択されたアップリンクサブフレームのサブフレーム数に対応するダウンリンクサブフレームのサブフレーム数を決定するステップを更に含み、
基地局装置によりダウンリンク制御情報DCIをダウンリンクサブフレームの物理ダウンリンク制御チャネルPDCCHで送信するステップは、
ダウンリンクサブフレームの決定されたサブフレーム数に対応するダウンリンクサブフレームの物理ダウンリンク制御チャネルPDCCHでダウンリンク制御情報DCIを基地局装置により送信するステップを含み、
基地局装置によりアップリンクサブフレームでPDSCH情報を送信するステップは、
PDSCH情報を選択されたアップリンクサブフレームで基地局装置により送信するステップを含む。
【００１２】
本発明の第1の態様に関連して、本発明の第1の態様の第1の想定し得る実施態様に関連して、本発明の第1の態様の第2の想定し得る実施態様に関連して、本発明の第1の態様の第3の想定し得る実施態様に関連して、本発明の第1の態様の第4の想定し得る実施態様に関連して、本発明の第1の態様の第5の想定し得る実施態様に関連して、又は、本発明の第1の態様の第6の想定し得る実施態様に関連して、第7の想定し得る実施態様において、PDSCH情報を送信するために基地局装置により使用されるアップリンクサブフレームは、PDSCH情報のみを送信するために使用され、PDCCH情報、物理制御フォーマット指示チャネルPCFICH情報、又は、物理ハイブリッド自動再送要求指示チャネルPHICH情報を送信するために使用されない。
【００１３】
本発明の第1の態様に関連して、本発明の第1の態様の第1の想定し得る実施態様に関連して、本発明の第1の態様の第2の想定し得る実施態様に関連して、本発明の第1の態様の第3の想定し得る実施態様に関連して、本発明の第1の態様の第4の想定し得る実施態様に関連して、本発明の第1の態様の第5の想定し得る実施態様に関連して、本発明の第1の態様の第6の想定し得る実施態様に関連して、又は、本発明の第1の態様の第7の想定し得る実施態様に関連して、第8の想定し得る実施態様では、アップリンクサブフレームがアップリンクキャリアで運ばれ、ダウンリンクサブフレームがダウンリンクキャリアで運ばれ、アップリンクキャリア及びダウンリンクキャリアは、周波数分割双方向FDDシステムで設定される無線スペクトルリソースである。
【００１４】
本発明の第2の態様によれば、
基地局装置により送信されるダウンリンク制御情報DCIをユーザ機器UEにより受信するステップであって、DCIが、アップリンクサブフレームで物理ダウンリンク共有チャネルPDSCH情報を受信するようにUEに指示する、ステップと、
DCIにしたがって、基地局装置により送信されるPDSCH情報をアップリンクサブフレームでUEにより受信するステップと、
を含むダウンリンク制御情報受信方法が提供される。
【００１５】
本発明の第2の態様に関連して、第1の想定し得る実施態様において、方法は、
基地局装置により送信される通知メッセージをユーザ機器UEにより受信するステップを更に含み、この場合、通知メッセージは、DCIを送信するために使用されるダウンリンクサブフレームのサブフレーム数とPDSCH情報を送信するために使用されるアップリンクサブフレームのサブフレーム数との間の対応を示すために使用され、また、通知メッセージは、システム情報ブロックSIB又は無線リソース制御RRCシグナリングのうちの少なくとも1つ以上を含む。
【００１６】
本発明の第2の態様に関連して、又は、本発明の第2の態様の第1の想定し得る実施態様に関連して、第2の想定し得る実施態様において、基地局装置により送信されるダウンリンク制御情報DCIをUEにより受信するステップは、
基地局装置により送信されるDCIをブラインド検出態様でUEにより受信するステップを含む。
【００１７】
本発明の第2の態様に関連して、第3の想定し得る実施態様において、基地局装置により送信されるダウンリンク制御情報DCIをUEによって受信するステップの前に、方法は、
基地局装置によって送信されるダウンリンク伝送モード情報をユーザ機器UEにより受信するステップを更に含み、この場合、ダウンリンク伝送モード情報は、ダウンリンク制御情報DCIのフォーマット情報を検出するようにUEに指示するために使用される。
【００１８】
本発明の第2の態様の第3の想定し得る実施態様に関連して、第4の想定し得る実施態様において、基地局装置により送信されるダウンリンク制御情報DCIをUEにより受信するステップは
基地局装置により送信されるダウンリンク制御情報DCIに関してブラインド検出をダウンリンク伝送モード情報にしたがってUEにより行うステップを含み、この場合、基地局装置により送信されるDCIが以下を満たし、すなわち、基地局装置により送信されるDCIのbitの量は、基地局装置により送信されるDCI format 0／format 1Aのbitの量と同じであり、また、基地局装置により送信されるDCIがチェックコードCRC及び／又はスクランブリングコードを備え、この場合、CRC及び／又はスクランブリングコードは、物理ダウンリンク共有チャネルPDSCH情報をアップリンクサブフレームで受信するようにUEに指示するために使用される。
【００１９】
本発明の第2の態様の第4の想定し得る実施態様に関連して、第5の想定し得る実施態様において、基地局装置により送信されるダウンリンク制御情報DCIに関してブラインド検出をダウンリンク伝送モード情報にしたがってUEにより行うステップは、
DCIの断片が検出される度に、検出されたDCIのチェックコードCRCをスクランブリング又はマスキングC−RNTIコードxrnti，kを使用することによってUEによりデスクランブルする或いはデマスキングするとともに、デスクランブリング又はデマスキングの後に得られたCRCがbkであるかどうかを決定するステップと、
得られたCRCがbkでなければ、検出されたDCIのCRCをスクランブリング又はマスキングC−RNTIコードxrnti，k及びスクランブリングコードakを使用することによりデスクランブルする或いはデマスキングするとともに、デスクランブリング又はデマスキングの後に得られたCRCがCkであると決定されると、基地局装置により送信され且つPDSCH情報をアップリンクサブフレームで受信するようにUEに指示するために使用されるDCIが受信されると決定するステップと、
を含む。
【００２０】
本発明の第2の態様に関連して、本発明の第2の態様の第1の想定し得る実施態様に関連して、本発明の第2の態様の第2の想定し得る実施態様に関連して、本発明の第2の態様の第3の想定し得る実施態様に関連して、本発明の第2の態様の第4の想定し得る実施態様に関連して、又は、本発明の第2の態様の第5の想定し得る実施態様に関連して、第6の想定し得る実施態様において、基地局装置により送信されるDCIをUEにより受信するステップの後に、方法は、
DCIが受信されるダウンリンクサブフレームのサブフレーム数をUEにより決定するステップを更に含み、
DCIにしたがって基地局装置により送信されるPDSCH情報をアップリンクサブフレームでUEにより受信するステップは、
DCIを送信するために使用されるダウンリンクサブフレームのサブフレーム数とPDSCH情報を送信するために使用されるアップリンクサブフレームのサブフレーム数との間の対応と、DCIが受信されるダウンリンクサブフレームの決定されたサブフレーム数とにしたがって、PDSCH情報を送信するために基地局装置により使用されるアップリンクサブフレームのサブフレーム数をUEにより決定するステップと、
アップリンクサブフレームの決定されたサブフレーム数に対応するアップリンクサブフレームで、基地局装置により送信されるPDSCH情報をUEにより受信するステップと、
を含む。
【００２１】
本発明の第2の態様に関連して、本発明の第2の態様の第1の想定し得る実施態様に関連して、本発明の第2の態様の第2の想定し得る実施態様に関連して、本発明の第2の態様の第3の想定し得る実施態様に関連して、本発明の第2の態様の第4の想定し得る実施態様に関連して、本発明の第2の態様の第5の想定し得る実施態様に関連して、又は、本発明の第2の態様の第6の想定し得る実施態様に関連して、第7の想定し得る実施態様において、UEがPDSCH情報を受信するときに、方法は、
肯定応答／否定応答ACK／NACKをUEによって基地局装置へ送信するステップを更に含む。
【００２２】
本発明の第2の態様の第7の想定し得る実施態様に関連して、第8の想定し得る実施態様において、ACK／NACKを基地局装置へUEにより送信するステップは、
DCIを受信するために使用されるダウンリンクサブフレームのサブフレーム数とACK／NACKを送信するために使用されるアップリンクサブフレームのサブフレーム数との間の対応にしたがって、ACK／NACKを送信するために使用されるアップリンクサブフレームのサブフレーム数をUEにより決定するとともに、アップリンクサブフレームの決定されたサブフレーム数に対応するアップリンクサブフレームでACK／NACKを送信するステップを含む。
【００２３】
本発明の第2の態様の第7の想定し得る実施態様に関連して、第9の想定し得る実施態様において、ACK／NACKを基地局装置へUEにより送信するステップは、
PDSCH情報を受信するために使用されるアップリンクサブフレームのサブフレーム数とACK／NACKを送信するために使用されるアップリンクサブフレームのサブフレーム数との間の対応にしたがって、ACK／NACKを送信するために使用されるアップリンクサブフレームのサブフレーム数をUEにより決定するとともに、アップリンクサブフレームの決定されたサブフレーム数に対応するアップリンクサブフレームでACK／NACKを送信するステップを含む。
【００２４】
本発明の第2の態様の第7の想定し得る実施態様に関連して、又は、本発明の第2の態様の第8の想定し得る実施態様に関連して、第9の想定し得る実施態様において、アップリンクサブフレームの決定されたサブフレーム数に対応するアップリンクサブフレームでACK／NACKをUEにより送信するステップは、
ACK／NACKを送信するために使用されるアップリンクサブフレームのサブフレーム数に対応するアップリンクサブフレームがダウンリンクサービスを送信するためにスケジュールされてしまったと決定されるときに、ダウンリンクサービスを送信するためにスケジュールされなかったアップリンクサブフレームであって、アップリンクサブフレームの決定されたサブフレーム数とのその差が最小であるアップリンクサブフレームをUEにより再選択して、その再選択されたアップリンクサブフレームでACK／NACKを送信するステップを含む。
【００２５】
本発明の第3の態様によれば、
ダウンリンク制御情報DCIをダウンリンクサブフレームの物理ダウンリンク制御チャネルPDCCHで送信するように構成されるダウンリンク制御情報DCI送信モジュールであって、DCIが、アップリンクサブフレームで物理ダウンリンク共有チャネルPDSCH情報を受信するようにユーザ機器UEに指示するために使用される、ダウンリンク制御情報DCI送信モジュールと、
アップリンクサブフレームでPDSCH情報を送信するように構成される物理ダウンリンク共有チャネルPDSCH情報送信モジュールと、
を含むダウンリンク制御情報送信装置が提供される。
【００２６】
本発明の第3の態様に関連して、第1の想定し得る実施態様において、装置は、
通知メッセージをユーザ機器UEへ送信するように構成される通知メッセージ送信モジュールを更に含み、この場合、通知メッセージは、DCIを送信するために使用されるダウンリンクサブフレームのサブフレーム数とPDSCH情報を送信するために使用されるアップリンクサブフレームのサブフレーム数との間の対応を示すために使用され、また、通知メッセージは、システム情報ブロックSIB又は無線リソース制御RRCシグナリングのうちの少なくとも1つ以上を含む。
【００２７】
本発明の第3の態様に関連して、第2の想定し得る実施態様では、送信装置がダウンリンクサブフレームのPDCCHでDCIを送信することは、以下を満たし、すなわち、送信装置により送信されるDCIのbitの量は、送信装置により送信されるDCI format 0／format 1Aのbitの量と同じであり、また、送信装置により送信されるDCIがチェックコードCRC及び／又はスクランブリングコードを備え、この場合、CRC及び／又はスクランブリングコードは、物理ダウンリンク共有チャネルPDSCH情報をアップリンクサブフレームで受信するようにUEに指示するために使用される。
【００２８】
本発明の第3の態様の第2の想定し得る実施態様に関連して、第3の想定し得る実施態様において、PDSCH情報を受信するようにUEに指示するために使用されるアップリンクサブフレームのサブフレーム数は、DCIを送信するために送信装置により使用されるダウンリンクサブフレームのサブフレーム数と同じである。
【００２９】
本発明の第3の態様の第2の想定し得る実施態様に関連して、又は、本発明の第3の態様の第3の想定し得る実施態様に関連して、第4の想定し得る実施態様では、送信装置がモード情報送信モジュールを更に含み、
モード情報送信モジュールは、DCI送信モジュールがダウンリンク制御情報DCIをダウンリンクサブフレームの物理ダウンリンク制御チャネルPDCCHで送信するステップの前にダウンリンク伝送モード情報をユーザ機器UEへ送信するように構成され、この場合、ダウンリンク伝送モード情報は、ダウンリンク制御情報DCIのフォーマット情報を検出するようにUEに指示するために使用される。
【００３０】
本発明の第3の態様の第4の想定し得る実施態様に関連して、第5の想定し得る実施態様において、モード情報送信モジュールは、特に、無線リソース制御RRCシグナリングを使用することによってダウンリンク伝送モード情報をユーザ機器UEに送信するように構成される。
【００３１】
本発明の第3の態様に関連して、本発明の第3の態様の第1の想定し得る実施態様に関連して、本発明の第3の態様の第2の想定し得る実施態様に関連して、本発明の第3の態様の第3の想定し得る実施態様に関連して、本発明の第3の態様の第4の想定し得る実施態様に関連して、又は、本発明の第3の態様の第5の想定し得る実施態様に関連して、第6の想定し得る実施態様では、送信装置がサブフレーム決定モジュールを更に含み、
サブフレーム決定モジュールは、DCI送信モジュールがダウンリンク制御情報DCIをダウンリンクサブフレームの物理ダウンリンク制御チャネルPDCCHで送信するステップの前に、PDSCH情報を送信するために使用され得るアップリンクサブフレームを選択するとともに、DCIを送信するために使用されるダウンリンクサブフレームのサブフレーム数とPDSCH情報を送信するために使用されるアップリンクサブフレームのサブフレーム数との間の対応にしたがって、PDSCH情報を送信するために使用される選択されたアップリンクサブフレームのサブフレーム数に対応するダウンリンクサブフレームのサブフレーム数を決定するように構成され、
DCI送信モジュールは、特に、ダウンリンクサブフレームの決定されたサブフレーム数に対応するダウンリンクサブフレームの物理ダウンリンク制御チャネルPDCCHでダウンリンク制御情報DCIを送信するように構成され、
PDSCH送信モジュールは、特に、PDSCH情報を選択されたアップリンクサブフレームで送信するように構成される。
【００３２】
本発明の第3の態様に関連して、本発明の第3の態様の第1の想定し得る実施態様に関連して、本発明の第3の態様の第2の想定し得る実施態様に関連して、本発明の第3の態様の第3の想定し得る実施態様に関連して、本発明の第3の態様の第4の想定し得る実施態様に関連して、本発明の第3の態様の第5の想定し得る実施態様に関連して、又は、本発明の第3の態様の第6の想定し得る実施態様に関連して、第7の想定し得る実施態様において、PDSCH情報を送信するために送信装置により使用されるアップリンクサブフレームは、PDSCH情報のみを送信するために使用され、PDCCH情報、物理制御フォーマット指示チャネルPCFICH情報、又は、物理ハイブリッド自動再送要求指示チャネルPHICH情報を送信するために使用されない。
【００３３】
本発明の第3の態様に関連して、本発明の第3の態様の第1の想定し得る実施態様に関連して、本発明の第3の態様の第2の想定し得る実施態様に関連して、本発明の第3の態様の第3の想定し得る実施態様に関連して、本発明の第3の態様の第4の想定し得る実施態様に関連して、本発明の第3の態様の第5の想定し得る実施態様に関連して、本発明の第3の態様の第6の想定し得る実施態様に関連して、又は、本発明の第3の態様の第7の想定し得る実施態様に関連して、第8の想定し得る実施態様では、アップリンクサブフレームがアップリンクキャリアで運ばれ、ダウンリンクサブフレームがダウンリンクキャリアで運ばれ、また、アップリンクキャリア及びダウンリンクキャリアは、周波数分割双方向FDDシステムで設定される無線スペクトルリソースである。
【００３４】
本発明の第4の態様によれば、
基地局装置により送信されるダウンリンク制御情報DCIを受信するように構成されるダウンリンク制御情報DCI受信モジュールであって、DCIが、アップリンクサブフレームで物理ダウンリンク共有チャネルPDSCH情報を受信するようにUEに指示する、ダウンリンク制御情報DCI受信モジュールと、
DCI受信モジュールにより受信されるDCIにしたがって、基地局装置により送信されるPDSCH情報をアップリンクサブフレームで受信するように構成される物理ダウンリンク共有チャネルPDSCH情報受信モジュールと、
を含むダウンリンク制御情報受信装置が提供される。
【００３５】
本発明の第4の態様に関連して、第1の想定し得る実施態様において、受信装置は、
基地局装置により送信される通知メッセージを受信するように構成される通知メッセージ受信モジュールを更に含み、この場合、通知メッセージは、DCIを送信するために使用されるダウンリンクサブフレームのサブフレーム数とPDSCH情報を送信するために使用されるアップリンクサブフレームのサブフレーム数との間の対応を示すために使用され、また、通知メッセージは、システム情報ブロックSIB又は無線リソース制御RRCシグナリングのうちの少なくとも1つ以上を備える。
【００３６】
本発明の第4の態様に関連して、又は、本発明の第4の態様の第1の想定し得る実施態様に関連して、第2の想定し得る実施態様において、DCI受信モジュールは、特に、基地局装置により送信されるDCIをブラインド検出態様で受信するように構成される。
【００３７】
本発明の第4の態様に関連して、第3の想定し得る実施態様において、受信装置は、
DCI受信モジュールが基地局装置により送信されるダウンリンク制御情報DCIを受信するステップの前に基地局装置によって送信されるダウンリンク伝送モード情報を受信するように構成される伝送モード情報受信モジュールを更に含み、この場合、ダウンリンク伝送モード情報は、ダウンリンク制御情報DCIのフォーマット情報を検出するようにUEに指示するために使用される。
【００３８】
本発明の第4の態様の第3の想定し得る実施態様に関連して、第4の想定し得る実施態様において、DCI受信モジュールは、特に、基地局装置により送信されるダウンリンク制御情報DCIに関してブラインド検出をダウンリンク伝送モード情報にしたがって行うように構成され、この場合、基地局装置により送信されるDCIは以下を満たし、すなわち、基地局装置により送信されるDCIのbitの量は、基地局装置により送信されるDCI format 0／format 1Aのbitの量と同じであり、また、基地局装置により送信されるDCIがチェックコードCRC及び／又はスクランブリングコードを含み、この場合、CRC及び／又はスクランブリングコードは、物理ダウンリンク共有チャネルPDSCH情報をアップリンクサブフレームで受信するようにUEに指示するために使用される。
【００３９】
本発明の第4の態様の第4の想定し得る実施態様に関連して、第5の想定し得る実施態様において、DCI受信モジュールは、特に、DCIの断片が検出される度に、検出されたDCIのチェックコードCRCをスクランブリング又はマスキングC−RNTIコードxrnti，kを使用することによってデスクランブルする或いはデマスキングするとともに、デスクランブリング又はデマスキングの後に得られたCRCがbkであるかどうかを決定するように構成され、及び、
得られたCRCがbkでなければ、検出されたDCIのCRCをスクランブリング又はマスキングC−RNTIコードxrnti，k及びスクランブリングコードakを使用することによりデスクランブルする或いはデマスキングするとともに、デスクランブリング又はデマスキングの後に得られたCRCがCkであると決定されると、基地局装置により送信され且つPDSCH情報をアップリンクサブフレームで受信するようにUEに指示するために使用されるDCIが受信されると決定するように構成される。
【００４０】
本発明の第4の態様に関連して、本発明の第4の態様の第1の想定し得る実施態様に関連して、本発明の第4の態様の第2の想定し得る実施態様に関連して、本発明の第4の態様の第3の想定し得る実施態様に関連して、本発明の第4の態様の第4の想定し得る実施態様に関連して、又は、本発明の第4の態様の第5の想定し得る実施態様に関連して、第6の想定し得る実施態様では、受信装置がサブフレーム数決定モジュールを更に含み、
サブフレーム数決定モジュールは、DCI受信モジュールが基地局装置により送信されるDCIを受信するステップの後に、DCIが受信されるダウンリンクサブフレームのサブフレーム数を決定するように構成され、
PDSCH情報受信モジュールは、特に、DCIを送信するために使用されるダウンリンクサブフレームのサブフレーム数とPDSCH情報を送信するために使用されるアップリンクサブフレームのサブフレーム数との間の対応と、DCIが受信されるダウンリンクサブフレームの決定されたサブフレーム数とにしたがって、PDSCH情報を送信するために基地局装置により使用されるアップリンクサブフレームのサブフレーム数を決定するとともに、アップリンクサブフレームの決定されたサブフレーム数に対応するアップリンクサブフレームで、基地局装置により送信されるPDSCH情報を受信するように構成される。
【００４１】
本発明の第4の態様に関連して、本発明の第4の態様の第1の想定し得る実施態様に関連して、本発明の第4の態様の第2の想定し得る実施態様に関連して、本発明の第4の態様の第3の想定し得る実施態様に関連して、本発明の第4の態様の第4の想定し得る実施態様に関連して、本発明の第4の態様の第5の想定し得る実施態様に関連して、又は、本発明の第4の態様の第6の想定し得る実施態様に関連して、第7の想定し得る実施態様では、受信装置が送信モジュールを更に含み、
送信モジュールは、PDSCH情報受信モジュールがPDSCH情報を受信するときに肯定応答／否定応答ACK／NACKを基地局装置へ送信するように構成される。
【００４２】
本発明の第4の態様の第7の想定し得る実施態様に関連して、第8の想定し得る実施態様において、送信モジュールは、特に、DCIを受信するために使用されるダウンリンクサブフレームのサブフレーム数とACK／NACKを送信するために使用されるアップリンクサブフレームのサブフレーム数との間の対応にしたがって、ACK／NACKを送信するために使用されるアップリンクサブフレームのサブフレーム数を決定するとともに、アップリンクサブフレームの決定されたサブフレーム数に対応するアップリンクサブフレームでACK／NACKを送信するように構成される。
【００４３】
本発明の第4の態様の第7の想定し得る実施態様に関連して、第9の想定し得る実施態様において、送信モジュールは、特に、PDSCH情報を受信するために使用されるアップリンクサブフレームのサブフレーム数とACK／NACKを送信するために使用されるアップリンクサブフレームのサブフレーム数との間の対応にしたがって、ACK／NACKを送信するために使用されるアップリンクサブフレームのサブフレーム数を決定するとともに、アップリンクサブフレームの決定されたサブフレーム数に対応するアップリンクサブフレームでACK／NACKを送信するように構成される。
【００４４】
本発明の第4の態様の第7の想定し得る実施態様に関連して、又は、本発明の第4の態様の第8の想定し得る実施態様に関連して、第9の想定し得る実施態様において、送信モジュールは、特に、ACK／NACKを送信するために使用されるアップリンクサブフレームのサブフレーム数に対応するアップリンクサブフレームがダウンリンクサービスを送信するためにスケジュールされてしまったと決定されるときに、ダウンリンクサービスを送信するためにスケジュールされなかったアップリンクサブフレームであって、アップリンクサブフレームの決定されたサブフレーム数とのその差が最小であるアップリンクサブフレームを再選択して、その再選択されたアップリンクサブフレームでACK／NACKを送信するように構成される。
【００４５】
本発明の第5の態様によれば、
ダウンリンク制御情報DCIをダウンリンクサブフレームの物理ダウンリンク制御チャネルPDCCHで送信するように構成される信号送信器であって、DCIが、アップリンクサブフレームで物理ダウンリンク共有チャネルPDSCH情報を受信するようにユーザ機器UEに指示するために使用される、信号送信器を含み、
信号送信器は、アップリンクサブフレームでPDSCH情報を送信するように更に構成される、
ダウンリンク制御情報送信装置が提供される。
【００４６】
本発明の第5の態様に関連して、第1の想定し得る実施態様において、信号送信器は、通知メッセージをユーザ機器UEへ送信するように更に構成され、この場合、通知メッセージは、DCIを送信するために使用されるダウンリンクサブフレームのサブフレーム数とPDSCH情報を送信するために使用されるアップリンクサブフレームのサブフレーム数との間の対応を示すために使用され、また、通知メッセージは、システム情報ブロックSIB又は無線リソース制御RRCシグナリングのうちの少なくとも1つ以上を含む。
【００４７】
本発明の第5の態様に関連して、第2の想定し得る実施態様において、送信装置がダウンリンクサブフレームのPDCCHでDCIを送信することは、以下を満たし、すなわち、送信装置により送信されるDCIのbitの量は、送信装置により送信されるDCI format 0／format 1Aのbitの量と同じであり、また、送信装置により送信されるDCIがチェックコードCRC及び／又はスクランブリングコードを備え、この場合、CRC及び／又はスクランブリングコードは、物理ダウンリンク共有チャネルPDSCH情報をアップリンクサブフレームで受信するようにUEに指示するために使用される。
【００４８】
本発明の第5の態様の第2の想定し得る実施態様に関連して、第3の想定し得る実施態様において、PDSCH情報を受信するようにUEに指示するために使用されるアップリンクサブフレームのサブフレーム数は、DCIを送信するために基地局装置により使用されるダウンリンクサブフレームのサブフレーム数と同じである。
【００４９】
本発明の第5の態様の第2の想定し得る実施態様に関連して、又は、本発明の第5の態様の第3の想定し得る実施態様に関連して、第4の想定し得る実施態様において、信号送信器は、ダウンリンク制御情報DCIをダウンリンクサブフレームの物理ダウンリンク制御チャネルPDCCHで送信するステップの前に、ダウンリンク伝送モード情報をユーザ機器UEへ送信するように更に構成され、この場合、ダウンリンク伝送モード情報は、ダウンリンク制御情報DCIのフォーマット情報を検出するようにUEに指示するために使用される。
【００５０】
本発明の第5の態様の第4の想定し得る実施態様に関連して、第5の想定し得る実施態様において、信号送信器は、特に、無線リソース制御RRCシグナリングを使用することによってダウンリンク伝送モード情報をユーザ機器UEに送信するように構成される。
【００５１】
本発明の第5の態様に関連して、本発明の第5の態様の第1の想定し得る実施態様に関連して、本発明の第5の態様の第2の想定し得る実施態様に関連して、本発明の第5の態様の第3の想定し得る実施態様に関連して、本発明の第5の態様の第4の想定し得る実施態様に関連して、又は、本発明の第5の態様の第5の想定し得る実施態様に関連して、第6の想定し得る実施態様では、送信装置がプロセッサを更に含み、
プロセッサは、ダウンリンク制御情報DCIがダウンリンクサブフレームの物理ダウンリンク制御チャネルPDCCHで送信される前に、PDSCH情報を送信するために使用され得るアップリンクサブフレームを選択するとともに、DCIを送信するために使用されるダウンリンクサブフレームのサブフレーム数とPDSCH情報を送信するために使用されるアップリンクサブフレームのサブフレーム数との間の対応にしたがって、PDSCH情報を送信するために使用される選択されたアップリンクサブフレームのサブフレーム数に対応するダウンリンクサブフレームのサブフレーム数を決定するように構成され、
信号送信器は、特に、ダウンリンクサブフレームの決定されたサブフレーム数に対応するダウンリンクサブフレームの物理ダウンリンク制御チャネルPDCCHでダウンリンク制御情報DCIを送信するように構成され、
信号送信器は、特に、PDSCH情報を選択されたアップリンクサブフレームで送信するように更に構成される。
【００５２】
本発明の第5の態様に関連して、本発明の第5の態様の第1の想定し得る実施態様に関連して、本発明の第5の態様の第2の想定し得る実施態様に関連して、本発明の第5の態様の第3の想定し得る実施態様に関連して、本発明の第5の態様の第4の想定し得る実施態様に関連して、本発明の第5の態様の第5の想定し得る実施態様に関連して、又は、本発明の第5の態様の第6の想定し得る実施態様に関連して、第7の想定し得る実施態様において、PDSCH情報を送信するために送信装置により使用されるアップリンクサブフレームは、PDSCH情報のみを送信するために使用され、PDCCH情報、物理制御フォーマット指示チャネルPCFICH情報、又は、物理ハイブリッド自動再送要求指示チャネルPHICH情報を送信するために使用されない。
【００５３】
本発明の第5の態様に関連して、本発明の第5の態様の第1の想定し得る実施態様に関連して、本発明の第5の態様の第2の想定し得る実施態様に関連して、本発明の第5の態様の第3の想定し得る実施態様に関連して、本発明の第5の態様の第4の想定し得る実施態様に関連して、本発明の第5の態様の第5の想定し得る実施態様に関連して、本発明の第5の態様の第6の想定し得る実施態様に関連して、又は、本発明の第5の態様の第7の想定し得る実施態様に関連して、第8の想定し得る実施態様では、アップリンクサブフレームがアップリンクキャリアで運ばれ、ダウンリンクサブフレームがダウンリンクキャリアで運ばれ、また、アップリンクキャリア及びダウンリンクキャリアは、周波数分割双方向FDDシステムで設定される無線スペクトルリソースである。
【００５４】
本発明の第6の態様によれば、
基地局装置により送信されるダウンリンク制御情報DCIを受信するように構成される信号受信器であって、DCIが、アップリンクサブフレームで物理ダウンリンク共有チャネルPDSCH情報を受信するようにUEに指示する、信号受信器を含み、
信号受信器は、DCIにしたがって、基地局装置により送信されるPDSCH情報をアップリンクサブフレームで受信するように更に構成される、
ダウンリンク制御情報受信装置が提供される。
【００５５】
本発明の第6の態様に関連して、第1の想定し得る実施態様において、信号受信器は、基地局装置により送信される通知メッセージを受信するように更に構成され、この場合、通知メッセージは、DCIを送信するために使用されるダウンリンクサブフレームのサブフレーム数とPDSCH情報を送信するために使用されるアップリンクサブフレームのサブフレーム数との間の対応を示すために使用され、また、通知メッセージは、システム情報ブロックSIB又は無線リソース制御RRCシグナリングのうちの少なくとも1つ以上を含む。
【００５６】
本発明の第6の態様に関連して、又は、本発明の第6の態様の第1の想定し得る実施態様に関連して、第2の想定し得る実施態様において、信号受信器は、特に、基地局装置により送信されるDCIをブラインド検出態様で受信するように構成される。
【００５７】
本発明の第6の態様に関連して、第3の想定し得る実施態様において、信号受信器は、基地局装置により送信されるダウンリンク制御情報DCIを受信するステップの前に、基地局装置によって送信されるダウンリンク伝送モード情報を受信するように更に構成され、この場合、ダウンリンク伝送モード情報は、ダウンリンク制御情報DCIのフォーマット情報を検出するようにUEに指示するために使用される。
【００５８】
本発明の第6の態様の第3の想定し得る実施態様に関連して、第4の想定し得る実施態様において、信号受信器は、特に、基地局装置により送信されるダウンリンク制御情報DCIに関してブラインド検出をダウンリンク伝送モード情報にしたがって行うように構成され、この場合、基地局装置により送信されるDCIは以下を満たし、すなわち、基地局装置により送信されるDCIのbitの量は、基地局装置により送信されるDCI format 0／format 1Aのbitの量と同じであり、また、基地局装置により送信されるDCIがチェックコードCRC及び／又はスクランブリングコードを含み、この場合、CRC及び／又はスクランブリングコードは、物理ダウンリンク共有チャネルPDSCH情報をアップリンクサブフレームで受信するようにUEに指示するために使用される。
【００５９】
本発明の第6の態様の第4の想定し得る実施態様に関連して、第5の想定し得る実施態様において、信号受信器は、特に、DCIの断片が検出される度に、検出されたDCIのチェックコードCRCをスクランブリング又はマスキングC−RNTIコードxrnti，kを使用することによってデスクランブルする或いはデマスキングするとともに、デスクランブリング又はデマスキングの後に得られたCRCがbkであるかどうかを決定するように構成され、及び、
得られたCRCがbkでなければ、検出されたDCIのCRCをスクランブリング又はマスキングC−RNTIコードxrnti，k及びスクランブリングコードakを使用することによりデスクランブルする或いはデマスキングするとともに、デスクランブリング又はデマスキングの後に得られたCRCがCkであると決定されるときに、基地局装置により送信され且つPDSCH情報をアップリンクサブフレームで受信するようにUEに指示するために使用されるDCIが受信されると決定するように構成される。
【００６０】
本発明の第6の態様に関連して、本発明の第6の態様の第1の想定し得る実施態様に関連して、本発明の第6の態様の第2の想定し得る実施態様に関連して、本発明の第6の態様の第3の想定し得る実施態様に関連して、本発明の第6の態様の第4の想定し得る実施態様に関連して、又は、本発明の第6の態様の第5の想定し得る実施態様に関連して、第6の想定し得る実施態様では、受信装置がプロセッサを更に含み、
プロセッサは、信号受信器が基地局装置により送信されるDCIを受信するステップの後に、DCIが受信されるダウンリンクサブフレームのサブフレーム数を決定するように構成され、
信号受信器は、特に、DCIを送信するために使用されるダウンリンクサブフレームのサブフレーム数とPDSCH情報を送信するために使用されるアップリンクサブフレームのサブフレーム数との間の対応と、DCIが受信されるダウンリンクサブフレームの決定されたサブフレーム数とにしたがって、PDSCH情報を送信するために基地局装置により使用されるアップリンクサブフレームのサブフレーム数を決定するとともに、アップリンクサブフレームの決定されたサブフレーム数に対応するアップリンクサブフレームで、基地局装置により送信されるPDSCH情報を受信するように構成される。
【００６１】
本発明の第6の態様に関連して、本発明の第6の態様の第1の想定し得る実施態様に関連して、本発明の第6の態様の第2の想定し得る実施態様に関連して、本発明の第6の態様の第3の想定し得る実施態様に関連して、本発明の第6の態様の第4の想定し得る実施態様に関連して、本発明の第6の態様の第5の想定し得る実施態様に関連して、又は、本発明の第6の態様の第6の想定し得る実施態様に関連して、第7の想定し得る実施態様では、受信装置が信号送信器を更に含み、
信号送信器は、信号受信器がPDSCH情報を受信するときに肯定応答／否定応答ACK／NACKを基地局装置へ送信するように構成される。
【００６２】
本発明の第6の態様の第7の想定し得る実施態様に関連して、第8の想定し得る実施態様において、信号送信器は、特に、DCIを受信するために使用されるダウンリンクサブフレームのサブフレーム数とACK／NACKを送信するために使用されるアップリンクサブフレームのサブフレーム数との間の対応にしたがって、ACK／NACKを送信するために使用されるアップリンクサブフレームのサブフレーム数を決定するとともに、アップリンクサブフレームの決定されたサブフレーム数に対応するアップリンクサブフレームでACK／NACKを送信するように構成される。
【００６３】
本発明の第6の態様の第7の想定し得る実施態様に関連して、第9の想定し得る実施態様において、信号送信器は、特に、PDSCH情報を受信するために使用されるアップリンクサブフレームのサブフレーム数とACK／NACKを送信するために使用されるアップリンクサブフレームのサブフレーム数との間の対応にしたがって、ACK／NACKを送信するために使用されるアップリンクサブフレームのサブフレーム数を決定するとともに、アップリンクサブフレームの決定されたサブフレーム数に対応するアップリンクサブフレームでACK／NACKを送信するように構成される。
【００６４】
本発明の第6の態様の第7の想定し得る実施態様に関連して、又は、本発明の第6の態様の第8の想定し得る実施態様に関連して、第9の想定し得る実施態様において、信号送信器は、特に、ACK／NACKを送信するために使用されるアップリンクサブフレームのサブフレーム数に対応するアップリンクサブフレームがダウンリンクサービスを送信するためにスケジュールされてしまったと決定されるときに、ダウンリンクサービスを送信するためにスケジュールされなかったアップリンクサブフレームであって、アップリンクサブフレームの決定されたサブフレーム数とのその差が最小であるアップリンクサブフレームを再選択して、その再選択されたアップリンクサブフレームでACK／NACKを送信するように構成される。
【００６５】
本発明の実施形態によれば、基地局装置は、ダウンリンク制御情報DCIをダウンリンクサブフレームの物理ダウンリンク制御チャネルPDCCHで送信し、この場合、DCIは、アップリンクサブフレームで物理ダウンリンク共有チャネルPDSCH情報を受信するようにユーザ機器UEに指示するために使用され、また、基地局装置は、アップリンクサブフレームでPDSCH情報を送信する。このようにすると、基地局は、アップリンクサブフレームを効果的にスケジュールすることができ、また、アップリンクサブフレームを使用することによりダウンリンクサービスを伝送するという目的が達成され、それにより、アップリンクサブフレームに対応する無線スペクトルリソースの利用が向上されるだけでなく、ダウンリンクサブフレームに対応する無線スペクトルリソースのロードプレッシャも効果的にそらされる。したがって、システムの無線スペクトルリソースの全体的な利用が向上される。
【００６６】
本発明の実施形態における技術的解決策を更に明確に説明するために、以下、実施形態を説明するために必要とされる添付図面について簡単に記載する。明らかに、以下の記述における添付図面は、本発明の幾つかの実施形態を単に示すにすぎず、また、当業者は、創作的努力を伴うことなくこれら添付図面から他の図面を更に導き出すことができる。
【図面の簡単な説明】
【００６７】
【図１】本発明の実施形態1に係るダウンリンク制御情報送信方法の概略的なフローチャートである。
【図２】本発明の実施形態3に係るダウンリンク制御情報受信方法の概略的なフローチャートである。
【図３】本発明の実施形態4に係るダウンリンク制御情報受信方法の概略的なフローチャートである。
【図４】本発明の実施形態5に係るダウンリンク制御情報送信装置の概略的な構造図である。
【図５】本発明の実施形態6に係るダウンリンク制御情報受信装置の概略的な構造図である。
【図６】本発明の実施形態7に係るダウンリンク制御情報送信装置の概略的な構造図である。
【図７】本発明の実施形態8に係るダウンリンク制御情報受信装置の概略的な構造図である。
【発明を実施するための形態】
【００６８】
本発明の目的を達成するために、本発明の実施形態は、ダウンリンク制御情報送信方法及び装置、並びに、ダウンリンク制御情報受信方法及び装置を提供する。基地局装置は、ダウンリンク制御情報DCIをダウンリンクサブフレームの物理ダウンリンク制御チャネルPDCCHで送信し、この場合、DCIは、アップリンクサブフレームで物理ダウンリンク共有チャネルPDSCH情報を受信するようにユーザ機器UEに指示するために使用され、また、基地局装置は、アップリンクサブフレームでPDSCH情報を送信する。このようにすると、基地局は、アップリンクサブフレームを効果的にスケジュールすることができ、また、アップリンクサブフレームを使用することによりダウンリンクサービスを伝送するという目的が達成され、それにより、アップリンクサブフレームに対応する無線スペクトルリソースの利用が向上されるだけでなく、ダウンリンクサブフレームに対応する無線スペクトルリソースのロードプレッシャも効果的にそらされる。したがって、システムの無線スペクトルリソースの全体的な利用が向上される。
【００６９】
本発明の実施形態に関与するダウンリンクサブフレームがダウンリンクキャリアで運ばれ、また、アップリンクサブフレームがアップリンクキャリアで運ばれることに留意すべきである。  ダウンリンクキャリア及びアップリンクキャリアは、FDDシステム内の基地局装置のために設定される無線スペクトルリソースである。すなわち、本発明の実施形態は、FDDシステム又は周波数分割双方向システムに類似する他のシステムに適用され、また、ここでは特定の制限が課される。
【００７０】
以下は、この明細書中の添付図面に関連して本発明の実施形態を詳しく説明する。明らかに、説明される実施形態は、本発明の実施形態の一部にすぎず、全てではない。創作的努力を伴うことなく本発明の実施形態に基づいて当業者により得られる他の全ての実施形態は、本発明の保護範囲内に含まれるものとする。
【００７１】
実施形態1
図1に示されるように、図1は、本発明の実施形態1に係るダウンリンク制御情報送信方法の概略的なフローチャートである。方法が以下のように記載されてもよい。
【００７２】
ステップ101基地局装置は、ダウンリンクサブフレームの物理ダウンリンク制御チャネルPDCCHでダウンリンク制御情報DCIを送信する。
【００７３】
DCIは、PDSCH（physical downlink shared channel、物理ダウンリンク共有チャネル）情報をアップリンクサブフレームで受信するようにユーザ機器UEに指示するために使用される。
【００７４】
ステップ101では、LTE（Long Term Evolution、ロング・ターム・エボリューション）システムにおいて、各TTI（Transmission Time Interval、伝送時間間隔）で、UE（User Equipment、ユーザ機器）がPDCCH（Physical Downlink Control Channel、物理ダウンリンク制御チャネル）又はePDCCH（enhanced Physical Downlink Control Channel、拡張物理ダウンリンク制御チャネル）を検出することによってよってDCI（Downlink Control Information、ダウンリンク制御情報）を得る。
【００７５】
DCIは、ダウンリンクスケジューリング情報及びアップリンクサブフレームのスケジューリング承認情報を含む。
【００７６】
加えて、PDCCHは、物理ダウンリンク制御チャネルであり、サブフレーム内の時間−周波数リソースの制御フィールド部分に位置され、すなわち、PDCCHは、時間−周波数リソース内のサブフレームの最初のN個のOFDM（Orthogonal Frequency Division Multiplexing、直交周波数分割多重）シンボルを占める。PDCCHチャネルにより占められる最初のN個のOFDMシンボルを示すためにPCFICH（Physical Control Format Indication Channel、物理制御フォーマット指示チャネル）が使用される。
【００７７】
Nが0よりも大きく3以下であり、また、一般に、システム帯域幅が1．4MのときにNの値が4であることに留意すべきである。
【００７８】
ePDCCHは、サブフレーム全体を占めるとともに、周波数領域リソースに関して1つ以上のRB（Resource Block、リソースブロック）を占める。
【００７９】
本発明のこの実施形態において、物理ダウンリンク制御チャネルPDCCHは、一般用語であり、サブフレームの最初のN個のOFDMシンボルに位置されるPDCCH及び／又はePDCCHを含む。
【００８０】
具体的には、基地局装置は、ダウンリンク制御情報DCIをダウンリンクサブフレームの物理ダウンリンク制御チャネルPDCCHで送信し、この場合、DCIは、アップリンクサブフレームで物理ダウンリンク共有チャネルPDSCH情報を受信するようにユーザ機器UEに指示するために使用される。DCIは、従来のDCIであってもよく、或いは、新しいフォーマットのDCIであってもよい。
【００８１】
基地局装置により送信されるDCIが新しいフォーマットのDCIである場合、基地局装置がDCIをダウンリンクサブフレームのPDCCHで送信することは、以下を満たす。すなわち、基地局装置により送信されるDCIのbitの量は、基地局装置により送信されるDCI format 0／format 1Aのbitの量と同じであり、また、基地局装置により送信されるDCIがチェックコードCRC及び／又はスクランブリングコードを含み、この場合、CRC及び／又はスクランブリングコードは、物理ダウンリンク共有チャネルPDSCH情報をアップリンクサブフレームで受信するようにUEに指示するために使用される。
【００８２】
この場合、本発明の他の実施形態では、随意的に、基地局装置がダウンリンク制御情報DCIをダウンリンクサブフレームの物理ダウンリンク制御チャネルPDCCHで送信する前に、方法は、
ダウンリンク伝送モード情報を基地局装置によってユーザ機器UEへ送信することを含み、この場合、ダウンリンク伝送モード情報は、ダウンリンク制御情報DCIのフォーマット情報を検出するようにUEに指示するために使用される。
【００８３】
具体的には、ダウンリンク伝送モード情報を基地局装置によってユーザ機器UEへ送信することは、
RRCシグナリングを使用することによりダウンリンク伝送モード情報をユーザ機器UEへ基地局装置によって送信することを含む。
【００８４】
随意的に、PDSCH情報を受信するようにUEに指示するために使用されるアップリンクサブフレームのサブフレーム数は、DCIを送信するために基地局装置により使用されるダウンリンクサブフレームのサブフレーム数と同じである。
【００８５】
基地局装置が従来のDCI又は新しいフォーマットのDCIを送信するかどうかにかかわらず、本発明の他の実施形態では、随意的に、基地局装置がダウンリンク制御情報DCIをダウンリンクサブフレームの物理ダウンリンク制御チャネルPDCCHで送信する前に、方法は、
PDSCH情報を送信するために使用され得るアップリンクサブフレームを基地局装置によって選択するとともに、DCIを送信するために使用されるダウンリンクサブフレームのサブフレーム数とPDSCH情報を送信するために使用されるアップリンクサブフレームのサブフレーム数との間の対応にしたがって、PDSCH情報を送信するために使用される選択されたアップリンクサブフレームのサブフレーム数に対応するダウンリンクサブフレームのサブフレーム数を決定することを更に含む。
【００８６】
無線スペクトルリソースをスケジュールするときに、基地局装置は、アップリンクキャリア内のいずれのサブフレームが相対的に使われていないサブフレームであるのかを決定することができる。この場合、基地局装置は、相対的に使われていないアップリンクサブフレームを、PDSCH情報を送信するために使用され得るアップリンクサブフレームとして選択してもよい。基地局装置がPDSCH情報を送信するために使用され得るアップリンクサブフレームを選択する態様は、実際の必要性にしたがって決定されてもよく、或いは、経験にしたがって決定されてもよく、本明細書中では限定されない。
【００８７】
なお、DCIを送信するために使用されるダウンリンクサブフレームのサブフレーム数とPDSCH情報を送信するために使用されるアップリンクサブフレームのサブフレーム数との間の対応は、基地局装置によって予め設定されてもよく、ユーザ機器とのネゴシエーションによって決定されてもよく、或いは、システムで設定された後に基地局装置及びユーザ機器へ送信されてもよく、本明細書中では限定されない。
【００８８】
DCIを送信するために使用されるダウンリンクサブフレームのサブフレーム数とPDSCH情報を送信するために使用されるアップリンクサブフレームのサブフレーム数との間の対応が基地局装置によって無作為に設定される場合、本発明のこの実施形態において、方法は、
基地局装置によって通知メッセージをユーザ機器UEへ送信することを更に含む。
【００８９】
通知メッセージは、DCIを送信するために使用されるダウンリンクサブフレームのサブフレーム数とPDSCH情報を送信するために使用されるアップリンクサブフレームのサブフレーム数との間の対応を示すために使用され、また、通知メッセージは、SIB（System Information Block、システム情報ブロック）及びRRC（Radio Resource Control、無線リソース制御）シグナリングのうちの少なくとも1つ以上を含む。
【００９０】
ダウンリンク制御情報DCIを送信するために使用されるダウンリンクサブフレームのサブフレーム数と物理ダウンリンク共有チャネルPDSCH情報を送信するために使用されるアップリンクサブフレームのサブフレーム数との間の対応では、ダウンリンクサブフレームのサブフレーム数に対応する特定の時間が、アップリンクサブフレームのサブフレーム数に対応する特定の時間と同じであってもよく或いは異なってもよいことに留意すべきである。ダウンリンクサブフレームが時間に関してアップリンクサブフレームと完全に重なり合わなければ、基地局装置は、DCI及びPDSCHを同時に送信することを避けることができ、それにより、UEは、ダウンリンクサブフレーム及びアップリンクサブフレームの両方の周波数帯域でデータをキャッシュする必要がなく、また、UEのキャッシング能力を高める必要がなく、すなわち、システムの余分なオーバーヘッドを増大させる必要がない。したがって、システムリソースを節約するという目的が達成される。
【００９１】
このようにして、基地局装置は、PDSCH情報をアップリンクサブフレームへ送信するためにスケジュールし、これは無線スペクトルリソースの利用を向上させるのに役立つ。
【００９２】
例えば、基地局装置により選択されてPDSCH情報を送信するために使用され得るアップリンクサブフレームのサブフレーム数は（n＋m）であり、また、この場合、PDSCH情報を送信するために使用される選択されたアップリンクサブフレームのサブフレーム数（n＋m）と、DCIを送信するために使用されるダウンリンクサブフレームのサブフレーム数とPDSCH情報を送信するために使用されるアップリンクサブフレームのサブフレーム数との間の対応とにしたがって、PDSCH情報を送信するために使用される選択されたアップリンクサブフレームのサブフレーム数に対応するダウンリンクサブフレームのサブフレーム数がnであると決定される。この場合、基地局装置は、そのサブフレーム数がnであるダウンリンクサブフレームのPDCCHでDCIを送信し、ここで、nは自然数であり、mは1以上の整数であり、また、mの特定の値が予め規定された或いは予め設定された態様で決定されてもよく、本明細書中では限定されない。
【００９３】
ステップ102  基地局装置は、PDSCH情報をアップリンクサブフレームで送信する。
【００９４】
ステップ102において、基地局装置は、PDSCH情報を選択されたアップリンクサブフレームで送信する。
【００９５】
随意的に、PDSCH情報を送信するために基地局装置により使用されるアップリンクサブフレームは、PDSCH情報のみを送信するために使用され、PDCCH情報、物理制御フォーマット指示チャネルPCFICH情報、又は、物理ハイブリッド自動再送要求指示チャネル（PHICH，Physical Hybrid ARQ Indication Channel）情報を送信するために使用されないことに留意すべきである。
【００９６】
本発明の実施形態1の解決策によれば、基地局装置は、ダウンリンク制御情報DCIをダウンリンクサブフレームの物理ダウンリンク制御チャネルPDCCHで送信し、この場合、DCIは、アップリンクサブフレームで物理ダウンリンク共有チャネルPDSCH情報を受信するようにユーザ機器UEに指示するために使用され、また、基地局装置は、アップリンクサブフレームでPDSCH情報を送信する。このようにすると、基地局は、アップリンクサブフレームを効果的にスケジュールすることができ、また、アップリンクサブフレームを使用することによりダウンリンクサービスを伝送するという目的が達成され、それにより、アップリンクサブフレームに対応する無線スペクトルリソースの利用が向上されるだけでなく、ダウンリンクサブフレームに対応する無線スペクトルリソースのロードプレッシャも効果的にそらされる。したがって、システムの無線スペクトルリソースの全体的な利用が向上される。
【００９７】
実施形態2
実施形態2では、新しいフォーマットを成すとともに本発明の実施形態1で言及されるDCIについて詳しく説明する。
【００９８】
基地局装置がDCI（DCI format 1A’として記録されてもよい）をダウンリンクサブフレームのPDCCHで送信することは、以下を満たす。すなわち、基地局装置により送信されるDCIのbitの量は、基地局装置により送信されるDCI format 0／format 1Aのbitの量と同じであり、また、基地局装置により送信されるDCIがチェックコードCRC及び／又はスクランブリングコードを含み、この場合、CRC及び／又はスクランブリングコードは、物理ダウンリンク共有チャネルPDSCH情報をアップリンクサブフレームで受信するようにUEに指示するために使用される。
【００９９】
例えば、DCI format 1A’のCRCが以下の態様で決定される。
Ck＝（ak＋（bk＋xrnti，k）mod2）mod2，k＝0，1，．．．，15
ここで、akはスクランブリングコードであり、bkはCRCであり、また、xrnti，kはスクランブリング又はマスキングC−RNTIコードである。
【０１００】
akは、物理ダウンリンク共有チャネルPDSCH情報をアップリンクサブフレームで受信するようにUEに指示するために使用される。すなわち、akは、DCIのCRCが正しいかどうかを検証するために使用され、また、検証結果がCRCが正しいということであるときには、物理ダウンリンク共有チャネルPDSCH情報をアップリンクサブフレームで受信するようにUEに指示するためにDCIが使用されることが決定される。
【０１０１】
このようにすると、新しいフォーマットにおけるDCIの長さは、DCI format 0／format 1Aのbitの量と同じであり、DCIの長さが増大されない。したがって、UEにより行われるブラインド検出の時間の量も増大されない。
【０１０２】
新しいフォーマットにおけるDCIのCRCは、前述のマスキング態様又はスクランブリング態様で得られるように制限されず、また、スクランブルされるbitが16bitに制限されない。
【０１０３】
DCI format 1A’のフォーマットは、以下の2つのタイプを含むがこれらに限定されない。
【０１０４】
フォーマットの第1のタイプは、DCI format 1Aと同様であり、1つのCRCのみを有するとともに、識別フラグビット、集中型及び分散型VRB割り当てフラグビット、RB割り当てビット、MCSビット、HARQプロセスID、新しいデータインジケータビット、冗長バージョンビット、PUCCH伝送制御コマンドビット、及び、CRCを含み、これらは全部で44ビットである。
【０１０５】
識別フラグビットは、1bitを占め、存在してもよく或いは存在しなくてもよく、また、冗長bitに属する。集中型及び分散型VRB割り当てフラグビットは1bitを占める。RB割り当てビットは13bitを占める。MCSビットは5bitを占める。HARQプロセスIDは3bitを占める。新しいデータインジケータビットは1bitを占める。冗長バージョンビットは2bitを占める。PUCCH伝送制御コマンドビットは2bitを占める。CRC（スクランブリング又はマスキングC−RNTIコードxrnti，k及びスクランブリングコードakを使用することによるスクランブリング処理又はマスキング処理の後に得られる）は16bitを占める。
【０１０６】
DCI format 1A’のbitの量がDCI format 0／format 1Aのbitの量と同じであり、また、違いは、DCI format 1A’に含まれるCRCに関して、スクランブリング又はマスキングC−RNTIコードxrnti，k及びスクランブリングコードakを使用することによって、スクランブリング処理又はマスキング処理が行われてしまっているという点においてあることが学習されてもよい。
【０１０７】
フォーマットの第2のタイプは、DCI format 1の形態と同様であり、2つのコードワードを有してもよく、また、RB割り当てビット、2つのコードブロックのMCSビット、HARQプロセスID、伝送ブロック・トゥ・コードワードマッピングインジケータビット、伝送ブロック1の新しいデータインジケータビット、伝送ブロック1の冗長バージョンビット、伝送ブロック2の新しいデータインジケータビット、伝送ブロック2の冗長バージョンビット、及び、CRCビットを含む。
【０１０８】
RB割り当てビットは13bitを占める。2つのコードブロックのそれぞれのMCSCビットは5bitを占め、また、bitを節約するために、2つのコードブロックのMSCが同一に設定される。HARQプロセスIDは3bitを占める。伝送ブロック・トゥ・コードワードマッピングインジケータビットは1bitを占める。伝送ブロック1の新しいデータインジケータビットは1bitを占める。伝送ブロック1の冗長バージョンビットは2bitを占める。伝送ブロック2の新しいデータインジケータビットは1bitを占める。伝送ブロック2の冗長バージョンビットは2bitを占める。CRC（スクランブリング又はマスキングC−RNTIコードxrnti，k及びスクランブリングコードakを使用することによるスクランブリング処理又はマスキング処理の後に得られる）は16bitを占める。
【０１０９】
全部で44bitあり、これらのビットがDCI format 0／format 1Aのbitの量と同じであることが学習されてもよい。違いは、DCI format 1A’に含まれるCRCに関して、スクランブリング又はマスキングC−RNTIコードxrnti，k及びスクランブリングコードakを使用することによって、スクランブリング処理又はマスキング処理が行われてしまっているという点においてある。
【０１１０】
本発明の実施形態2は、新しいフォーマットを成すDCIを提供する。新しいフォーマットを成すDCIを検出するときに、UEは、基地局装置がPDSCH情報をアップリンクサブフレームで送信することを決定してもよく、また、DCIが受信されるダウンリンクサブフレームのサブフレーム数に対応するアップリンクサブフレームで、基地局装置により送信されるPDSCH情報を受信してもよい。したがって、基地局装置は、アップリンクサブフレームを柔軟にスケジュールし、また、アップリンクサブフレームを使用することによりダウンリンクサービスを伝送するという目的が達成され、それにより、アップリンクサブフレームに対応する無線スペクトルリソースの利用が向上されるだけでなく、ダウンリンクサブフレームに対応する無線スペクトルリソースのロードプレッシャも効果的にそらされる。したがって、システムの無線スペクトルリソースの全体的な利用が向上される。
【０１１１】
実施形態3
図2に示されるように、図2は、本発明の実施形態3に係るダウンリンク制御情報受信方法の概略的なフローチャートである。方法が以下のように記載されてもよい。
【０１１２】
ステップ201  ユーザ機器UEは、基地局装置により送信されるダウンリンク制御情報DCIを受信する。
【０１１３】
DCIは、物理ダウンリンク共有チャネルPDSCH情報をアップリンクサブフレームで受信するようにUEに指示する。
【０１１４】
ステップ201において、ユーザ機器UEが基地局装置により送信されるダウンリンク制御情報DCIを受信する態様は、以下を含むがこれらに限定されない。
【０１１５】
態様1：UEは、ブラインド検出態様で、基地局装置により送信されるDCIを受信する。
【０１１６】
態様2：UEが基地局装置により送信されるダウンリンク制御情報DCIを受信する前に、方法は、基地局装置によって送信されるダウンリンク伝送モード情報をユーザ機器UEにより受信することを更に含み、この場合、ダウンリンク伝送モード情報は、ダウンリンク制御情報DCIのフォーマット情報を検出するようにUEに指示するために使用される。
【０１１７】
LTEリリースR8において、基地局装置は、ダウンリンク伝送モード情報を予めUEに知らせ、それにより、UEは、RRCシグナリングを使用することにより、基地局装置により送信されるダウンリンク伝送モード情報を受信する。受信されたダウンリンク伝送モード情報にしたがって、UEは、ダウンリンクDCIを検出する必要があるだけでなく、アップリンクDCI（すなわち、DCI format 0）を検出する必要もある。しかしながら、DCI formatのbitの量はDCI format 1Aのそれと同じであるため、DCI formatは、該DCI formatが検出されているときに決定される必要が更にある。
【０１１８】
UEは、ダウンリンク伝送モード情報とDCIとの間の対応にしたがって、受信されたダウンリンク伝送モード情報に対応するDCIを検出する。
【０１１９】
この場合、ユーザ機器UEが基地局装置により送信されるダウンリンク制御情報DCIを受信する態様は、
基地局装置により送信されるダウンリンク制御情報DCIに関してブラインド検出をダウンリンク伝送モード情報にしたがってUEにより行うことを含み、この場合、基地局装置により送信されるDCIは以下を満たす。すなわち、基地局装置により送信されるDCIのbitの量は、基地局装置により送信されるDCI format 0／format 1Aのbitの量と同じであり、また、基地局装置により送信されるDCIがチェックコードCRC及び／又はスクランブリングコードを含み、この場合、CRC及び／又はスクランブリングコードは、物理ダウンリンク共有チャネルPDSCH情報をアップリンクサブフレームで受信するようにUEに指示するために使用される。
【０１２０】
具体的には、基地局装置により送信されるダウンリンク制御情報DCIに関してブラインド検出をダウンリンク伝送モード情報にしたがってUEにより行うことは、
DCIの断片が検出される度に、検出されたDCIのチェックコードCRCをスクランブリング又はマスキングC−RNTIコードxrnti，kを使用することによってUEによりデスクランブルする或いはデマスキングするとともに、デスクランブリング又はデマスキングの後に得られたCRCがbkであるかどうかを決定すること、及び、得られたCRCがbkでなければ、検出されたDCIのCRCをスクランブリング又はマスキングC−RNTIコードxrnti，k及びスクランブリングコードakを使用することによりデスクランブルする或いはデマスキングするとともに、デスクランブリング又はデマスキングの後に得られたCRCがCkであると決定されると、基地局装置により送信され且つPDSCH情報をアップリンクサブフレームで受信するようにUEに指示するために使用されるDCIが受信されると決定すること、
を含む。
【０１２１】
本発明の一実施形態において、随意的に、方法は、
基地局装置により送信される通知メッセージをユーザ機器UEにより受信することを更に含む。
【０１２２】
通知メッセージは、DCIを送信するために使用されるダウンリンクサブフレームのサブフレーム数とPDSCH情報を送信するために使用されるアップリンクサブフレームのサブフレーム数との間の対応を示すために使用され、また、通知メッセージは、システム情報ブロックSIB又は無線リソース制御RRCシグナリングのうちの少なくとも1つ以上を含む。
【０１２３】
本発明の他の実施形態において、UEが基地局装置により送信されるDCIを受信した後、本発明は、
DCIが受信されるダウンリンクサブフレームのサブフレーム数をUEにより決定することを更に含む。
【０１２４】
ステップ202  UEは、DCIにしたがって、基地局装置により送信されるPDSCH情報をアップリンクサブフレームで受信する。
【０１２５】
ステップ202において、UEは、DCIを送信するために使用されるダウンリンクサブフレームのサブフレーム数とPDSCH情報を送信するために使用されるアップリンクサブフレームのサブフレーム数との間の対応と、DCIが受信されるダウンリンクサブフレームの決定されたサブフレーム数とにしたがって、PDSCH情報を送信するために基地局装置により使用されるアップリンクサブフレームのサブフレーム数を決定する。
【０１２６】
UEは、アップリンクサブフレームの決定されたサブフレーム数に対応するアップリンクサブフレームで、基地局装置により送信されるPDSCH情報を受信する。
【０１２７】
例えば、基地局装置は、そのサブフレーム数がnであるダウンリンクサブフレームのPDCCHでDCIを送信する。DCIを送信するために使用されるダウンリンクサブフレームのサブフレーム数とPDSCH情報を送信するために使用されるアップリンクサブフレームのサブフレーム数との間の対応にしたがって、そのサブフレーム数が（n＋m）であるアップリンクサブフレームで基地局装置がPDSCH情報を送信することが決定され、ここで、
nは自然数であり、mは1以上の整数であり、また、mの特定の値が予め規定された或いは予め設定された態様で決定されてもよく、本明細書中では限定されない。
【０１２８】
そのサブフレーム数がnであるダウンリンクサブフレームでUEがダウンリンクDCIを検出する場合、UEは、DCIを送信するために使用されるダウンリンクサブフレームのサブフレーム数とPDSCH情報を送信するために使用されるアップリンクサブフレームのサブフレーム数との間の受信された対応にしたがって、そのサブフレーム数が（n＋m）であるアップリンクサブフレームで基地局装置がPDSCH情報を送信するようになっていると決定し、アップリンクサブフレームのサブフレーム数（n＋m）に対応するアップリンクサブフレームで、基地局装置により送信されるPDSCH情報を受信する。
【０１２９】
ステップ203  UEは、肯定応答／否定応答ACK／NACKを基地局装置へ送信する。
【０１３０】
ステップ203において、UEがACK／NACKを基地局装置へ送信する態様は、以下の2つのタイプを含むが、これらに限定されない。
【０１３１】
第1のタイプにおいて、ACK／NACKを送信するために使用されるアップリンクサブフレームのサブフレーム数は、基地局装置により送信されるDCIが受信されるダウンリンクサブフレームにしたがって決定される。
【０１３２】
具体的には、基地局装置により送信されるDCIを受信するとき、UEは、DCIを送信するために使用されるダウンリンクサブフレームのサブフレーム数とACK／NACKを送信するために使用されるアップリンクサブフレームのサブフレーム数との間の対応にしたがって、ACK／NACKを送信するために使用されるアップリンクサブフレームのサブフレーム数を決定するとともに、アップリンクサブフレームの決定されたサブフレーム数に対応するアップリンクサブフレームでACK／NACKを送信する。
【０１３３】
なお、DCIを送信するために使用されるダウンリンクサブフレームのサブフレーム数、PDSCH情報を送信するために使用されるアップリンクサブフレームのサブフレーム数、又は、ACK／NACKを送信するために使用されるアップリンクサブフレームのサブフレーム数の全て又はこれらのうちのいずれか2つの間の対応は、基地局装置によって予め決定されてもよく、或いは、実際の必要性にしたがって基地局装置により決定されてもよく、或いは、ネゴシエーションによって得られてもよく、本明細書中では限定されない。
【０１３４】
例えば、そのサブフレーム数がnであるダウンリンクサブフレームでUEがDCIを受信する場合、UEは、DCIを送信するために使用されるダウンリンクサブフレームのサブフレーム数とACK／NACKを送信するために使用されるアップリンクサブフレームのサブフレーム数との間の対応にしたがって、ACK／NACKがサブフレーム数（n＋k）に対応するアップリンクサブフレームで送信される必要があると決定し、ここで、kは4以上である。
【０１３５】
第2のタイプにおいて、ACK／NACKを送信するために使用されるアップリンクサブフレームのサブフレーム数は、基地局装置により送信されるPDSCH情報が受信されるアップリンクサブフレームにしたがって決定される。
【０１３６】
具体的には、基地局装置により送信されるPDSCH情報を受信するとき、UEは、PDSCH情報を送信するために使用されるアップリンクサブフレームのサブフレーム数とACK／NACKを送信するために使用されるアップリンクサブフレームのサブフレーム数との間の対応にしたがって、ACK／NACKを送信するために使用されるアップリンクサブフレームのサブフレーム数を決定するとともに、アップリンクサブフレームの決定されたサブフレーム数に対応するアップリンクサブフレームでACK／NACKを送信する。
【０１３７】
なお、DCIを送信するために使用されるダウンリンクサブフレームのサブフレーム数、PDSCH情報を送信するために使用されるアップリンクサブフレームのサブフレーム数、又は、ACK／NACKを送信するために使用されるアップリンクサブフレームのサブフレーム数の全て又はこれらのうちのいずれか2つの間の対応は、基地局装置によって予め決定されてもよく、或いは、実際の必要性にしたがって基地局装置により決定されてもよく、或いは、ネゴシエーションによって得られてもよく、本明細書中では限定されない。
【０１３８】
例えば、そのサブフレーム数がnであるアップリンクサブフレームでUEがPDSCH情報を受信する場合、UEは、PDSCH情報を送信するために使用されるアップリンクサブフレームのサブフレーム数とACK／NACKを送信するために使用されるアップリンクサブフレームのサブフレーム数との間の対応にしたがって、ACK／NACKがサブフレーム数（n＋k）に対応するアップリンクサブフレームで送信される必要があることを決定し、ここで、kは4以上である。
【０１３９】
ACK／NACKを送信するために使用されるアップリンクサブフレームのサブフレーム数に対応するアップリンクサブフレームがダウンリンクサービスを送信するためにスケジュールされてしまったと決定する際、UEは、ダウンリンクサービスを送信するためにスケジュールされなかったアップリンクサブフレームであって、アップリンクサブフレームの決定されたサブフレーム数とのその差が最小であるアップリンクサブフレームを再選択して、その再選択されたアップリンクサブフレームでACK／NACKを送信する。
【０１４０】
具体的には、ACK／NACKを送信するために使用される決定されたサブフレーム数（n＋k）は、ダウンリンクサービスを送信するために使用されるアップリンクサブフレームに対応していてもよく、この場合、そのサブフレーム数がサブフレーム数（n＋k）の後であるサブフレームから最初のアップリンクサブフレームを見つけることが求められ、また、アップリンクサービスを送信するためにアップリンクサブフレームが使用され、見つけられた最初のアップリンクサブフレームを使用することによりACK／NACKが送信される。
【０１４１】
すなわち、アップリンクリソースとダウンリンクリソースとの間のコンフリクトが生じると直ぐに、基地局装置は、リソーススケジューリングアルゴリズムを使用することによってコンフリクトを回避してもよい。
【０１４２】
本発明の実施形態3に係る解決策を使用することにより、ユーザ機器は、基地局装置により送信されるDCIを受信するとともに、DCIにしたがって、基地局装置により送信されるPDSCH情報をアップリンクサブフレームで受信する。したがって、基地局装置は、アップリンクサブフレームを柔軟にスケジュールし、また、アップリンクサブフレームを使用することによりダウンリンクサービスを伝送するという目的が達成され、それにより、アップリンクサブフレームに対応する無線スペクトルリソースの利用が向上されるだけでなく、ダウンリンクサブフレームに対応する無線スペクトルリソースのロードプレッシャも効果的にそらされる。したがって、システムの無線スペクトルリソースの全体的な利用が向上される。
【０１４３】
実施形態4
図3に示されるように、図3は、本発明の実施形態4に係るダウンリンク制御情報受信方法の概略的なフローチャートである。方法が以下のように記載されてもよい。
【０１４４】
ステップ301  ユーザ機器UEは、基地局装置により送信されるダウンリンク伝送モード情報を受信する。
【０１４５】
ダウンリンク伝送モード情報は、ダウンリンク制御情報DCIのフォーマット情報を検出するようにUEに指示するために使用される。
【０１４６】
ステップ301では、LTEリリースR8において、基地局装置が、ダウンリンク伝送モード情報を予めUEに知らせ、それにより、UEは、RRCシグナリングを使用することにより、基地局装置により送信されるダウンリンク伝送モード情報を受信する。受信されたダウンリンク伝送モード情報にしたがって、UEは、ダウンリンクDCIを検出する必要があるだけでなく、アップリンクDCI（すなわち、DCI format 0）を検出する必要もある。しかしながら、DCI formatのbitの量はDCI format 1Aのそれと同じであるため、DCI formatは、該DCI formatが検出されているときに決定される必要が更にある。
【０１４７】
ステップ302  UEは、ダウンリンク伝送モード情報とDCIとの間の対応にしたがって、受信されたダウンリンク伝送モード情報に対応するDCIを検出する。
【０１４８】
ステップ302において、UEは、ダウンリンク伝送モード情報にしたがって、基地局装置により送信されるダウンリンク制御情報DCIに関してブラインド検出を行い、この場合、基地局装置により送信されるDCIは以下を満たす。すなわち、基地局装置により送信されるDCIのbitの量は、DCI format 0／format 1Aのbitの量と同じであり、また、基地局装置により送信されるDCIがチェックコードCRC及び／又はスクランブリングコードを含み、この場合、CRC及び／又はスクランブリングコードは、物理ダウンリンク共有チャネルPDSCH情報をアップリンクサブフレームで受信するようにUEに指示するために使用される。
【０１４９】
具体的には、UEがDCIの断片を検出する度に、UEは、検出されたDCIのチェックコードCRCをスクランブリング又はマスキングC−RNTIコードxrnti，kを使用することによってデスクランブルする或いはデマスキングするとともに、デスクランブリング又はデマスキングの後に得られたCRCがbkであるかどうかを決定し、また、得られたCRCがbkでなければ、ステップ303が行われ、そうでなければ、ステップ201における態様1での検出によってDCIが得られ、それから、ステップ202及びステップ203におけるその後の内容が行われる。
【０１５０】
ステップ303  UEは、検出されたDCIのCRCをスクランブリング又はマスキングC−RNTIコードxrnti，k及びスクランブリングコードakを使用することによってデスクランブルする或いはデマスキングする。
【０１５１】
ステップ304  デスクランブリング又はデマスキングの後に得られるCRCがCkであると決定すると、UEは、基地局装置により送信され且つPDSCH情報をアップリンクサブフレームで受信するようにUEに指示するために使用されるDCIが受信されると決定する。
【０１５２】
随意的に、PDSCH情報を受信するようにUEに指示するために使用されるアップリンクサブフレームのサブフレーム数は、DCIを送信するために基地局装置により使用されるダウンリンクサブフレームのサブフレーム数と同じである。
【０１５３】
ステップ305  UEは、DCIにしたがって、DCIが受信されるダウンリンクサブフレームのサブフレーム数を決定する。
【０１５４】
ステップ306  UEは、DCIにしたがって、基地局装置により送信されるPDSCH情報をアップリンクサブフレームで受信する。
【０１５５】
ステップ306において、UEは、DCIを送信するために使用されるダウンリンクサブフレームのサブフレーム数とPDSCH情報を送信するために使用されるアップリンクサブフレームのサブフレーム数との間の対応と、DCIが受信されるダウンリンクサブフレームの決定されたサブフレーム数とにしたがって、PDSCH情報を送信するために基地局装置により使用されるアップリンクサブフレームのサブフレーム数を決定する。
【０１５６】
UEは、アップリンクサブフレームの決定されたサブフレーム数に対応するアップリンクサブフレームで、基地局装置により送信されるPDSCH情報を受信する。
【０１５７】
例えば、基地局装置は、そのサブフレーム数がnであるダウンリンクサブフレームのPDCCHでDCIを送信する。DCIを送信するために使用されるダウンリンクサブフレームのサブフレーム数とPDSCH情報を送信するために使用されるアップリンクサブフレームのサブフレーム数との間の対応にしたがって、そのサブフレーム数が（n＋m）であるアップリンクサブフレームで基地局装置がPDSCH情報を送信することが決定され、ここで、
nは自然数であり、mは1以上の整数であり、また、mの特定の値が予め規定された或いは予め設定された態様で決定されてもよく、本明細書中では限定されない。
【０１５８】
なお、mの値が0であってもよく、すなわち、基地局装置は、そのサブフレーム数がnであるダウンリンクサブフレームのPDCCHでDCIを送信し、また、同時に、そのサブフレーム数がnであるアップリンクサブフレームでPDSCH情報を送信する。
【０１５９】
そのサブフレーム数がnであるダウンリンクサブフレームでUEがダウンリンクDCIを検出する場合、UEは、DCIを送信するために使用されるダウンリンクサブフレームのサブフレーム数とPDSCH情報を送信するために使用されるアップリンクサブフレームのサブフレーム数との間の受信された対応にしたがって、そのサブフレーム数が（n＋m）であるアップリンクサブフレームで基地局装置がPDSCH情報を送信するようになっていると決定し、アップリンクサブフレームのサブフレーム数（n＋m）に対応するアップリンクサブフレームで、基地局装置により送信されるPDSCH情報を受信する。
【０１６０】
ステップ307  UEは、肯定応答／否定応答ACK／NACKを基地局装置へ送信する。
【０１６１】
ステップ307において、UEがACK／NACKを基地局装置へ送信する態様は、以下の2つのタイプを含むが、これらに限定されない。
【０１６２】
第1のタイプにおいて、ACK／NACKを送信するために使用されるアップリンクサブフレームのサブフレーム数は、基地局装置により送信されるDCIが受信されるダウンリンクサブフレームにしたがって決定される。
【０１６３】
具体的には、基地局装置により送信されるDCIを受信するとき、UEは、DCIを送信するために使用されるダウンリンクサブフレームのサブフレーム数とACK／NACKを送信するために使用されるアップリンクサブフレームのサブフレーム数との間の対応にしたがって、ACK／NACKを送信するために使用されるアップリンクサブフレームのサブフレーム数を決定するとともに、アップリンクサブフレームの決定されたサブフレーム数に対応するアップリンクサブフレームでACK／NACKを送信する。
【０１６４】
なお、DCIを送信するために使用されるダウンリンクサブフレームのサブフレーム数、PDSCH情報を送信するために使用されるアップリンクサブフレームのサブフレーム数、又は、ACK／NACKを送信するために使用されるアップリンクサブフレームのサブフレーム数の全て又はこれらのうちのいずれか2つの間の対応は、基地局装置によって予め決定されてもよく、或いは、実際の必要性にしたがって基地局装置により決定されてもよく、或いは、ネゴシエーションによって得られてもよく、本明細書中では限定されない。
【０１６５】
例えば、そのサブフレーム数がnであるダウンリンクサブフレームでUEがDCIを受信する場合、UEは、DCIを送信するために使用されるダウンリンクサブフレームのサブフレーム数とACK／NACKを送信するために使用されるアップリンクサブフレームのサブフレーム数との間の対応にしたがって、ACK／NACKがサブフレーム数（n＋k）に対応するアップリンクサブフレームで送信される必要があると決定し、ここで、kは4以上である。
【０１６６】
第2のタイプにおいて、ACK／NACKを送信するために使用されるアップリンクサブフレームのサブフレーム数は、基地局装置により送信されるPDSCH情報が受信されるアップリンクサブフレームにしたがって決定される。
【０１６７】
具体的には、基地局装置により送信されるPDSCH情報を受信するとき、UEは、PDSCH情報を送信するために使用されるアップリンクサブフレームのサブフレーム数とACK／NACKを送信するために使用されるアップリンクサブフレームのサブフレーム数との間の対応にしたがって、ACK／NACKを送信するために使用されるアップリンクサブフレームのサブフレーム数を決定するとともに、アップリンクサブフレームの決定されたサブフレーム数に対応するアップリンクサブフレームでACK／NACKを送信する。
【０１６８】
なお、DCIを送信するために使用されるダウンリンクサブフレームのサブフレーム数、PDSCH情報を送信するために使用されるアップリンクサブフレームのサブフレーム数、又は、ACK／NACKを送信するために使用されるアップリンクサブフレームのサブフレーム数の全て又はこれらのうちのいずれか2つの間の対応は、基地局装置によって予め決定されてもよく、或いは、実際の必要性にしたがって基地局装置により決定されてもよく、或いは、ネゴシエーションによって得られてもよく、本明細書中では限定されない。
【０１６９】
例えば、そのサブフレーム数がnであるアップリンクサブフレームでUEがPDSCH情報を受信する場合、UEは、PDSCH情報を送信するために使用されるアップリンクサブフレームのサブフレーム数とACK／NACKを送信するために使用されるアップリンクサブフレームのサブフレーム数との間の対応にしたがって、ACK／NACKがサブフレーム数（n＋k）に対応するアップリンクサブフレームで送信される必要があると決定し、ここで、kは4以上である。
【０１７０】
ACK／NACKを送信するために使用されるアップリンクサブフレームのサブフレーム数に対応するアップリンクサブフレームがダウンリンクサービスを送信するためにスケジュールされてしまったと決定する際、UEは、ダウンリンクサービスを送信するためにスケジュールされなかったアップリンクサブフレームであって、アップリンクサブフレームの決定されたサブフレーム数とのその差が最小であるアップリンクサブフレームを再選択して、その再選択されたアップリンクサブフレームでACK／NACKを送信する。
【０１７１】
具体的には、ACK／NACKを送信するために使用される決定されたサブフレーム数（n＋k）は、ダウンリンクサービスを送信するために使用されるアップリンクサブフレームに対応していてもよく、この場合、そのサブフレーム数がサブフレーム数（n＋k）の後であるサブフレームから最初の最も近いアップリンクサブフレームを見つけることが求められ、また、アップリンクサービスを送信するためにアップリンクサブフレームが使用され、見つけられた最初の最も近いアップリンクサブフレームを使用することによりACK／NACKが送信される。
【０１７２】
すなわち、アップリンクリソースとダウンリンクリソースとの間のコンフリクトが生じると直ぐに、基地局装置は、リソーススケジューリングアルゴリズムを使用することによってコンフリクトを回避してもよい。
【０１７３】
本発明の実施形態4に係る解決策を使用することにより、ユーザ機器は、基地局装置により送信されるDCIを受信するとともに、DCIにしたがって、基地局装置により送信されるPDSCH情報をアップリンクサブフレームで受信する。したがって、基地局装置は、アップリンクサブフレームを柔軟にスケジュールし、また、アップリンクサブフレームを使用することによりダウンリンクサービスを伝送するという目的が達成され、それにより、アップリンクサブフレームに対応する無線スペクトルリソースの利用が向上されるだけでなく、ダウンリンクサブフレームに対応する無線スペクトルリソースのロードプレッシャも効果的にそらされる。したがって、システムの無線スペクトルリソースの全体的な利用が向上される。
【０１７４】
実施形態5
図4に示されるように、図4は、本発明の実施形態5に係るダウンリンク制御情報送信装置の概略的な構造図である。本発明の実施形態5で提供される送信装置は、本発明の実施形態1及び本発明の実施形態2における方法を行うことができ、また、送信装置は、ダウンリンク制御情報DCI送信モジュール41及び物理ダウンリンク共有チャネルPDSCH情報送信モジュール42を含む。
【０１７５】
ダウンリンク制御情報DCI送信モジュール41は、ダウンリンク制御情報DCIをダウンリンクサブフレームの物理ダウンリンク制御チャネルPDCCHで送信するように構成され、この場合、DCIは、アップリンクサブフレームで物理ダウンリンク共有チャネルPDSCH情報を受信するようにユーザ機器UEに指示するために使用される。
【０１７６】
物理ダウンリンク共有チャネルPDSCH情報送信モジュール42は、PDSCH情報をアップリンクサブフレームで送信するように構成される。
【０１７７】
随意的に、装置は、通知メッセージ送信モジュール43を更に含む。
【０１７８】
通知メッセージ送信モジュール43は、通知メッセージをユーザ機器UEへ送信するように構成され、この場合、通知メッセージは、DCIを送信するために使用されるダウンリンクサブフレームのサブフレーム数とPDSCH情報を送信するために使用されるアップリンクサブフレームのサブフレーム数との間の対応を示すために使用され、また、通知メッセージは、システム情報ブロックSIB又は無線リソース制御RRCシグナリングのうちの少なくとも1つ以上を含む。
【０１７９】
本発明の他の実施形態において、送信装置がダウンリンクサブフレームのPDCCHでDCIを送信することは、以下を満たす。すなわち、送信装置により送信されるDCIのbitの量は、送信装置により送信されるDCI format 0／format 1Aのbitの量と同じであり、また、送信装置により送信されるDCIがチェックコードCRC及び／又はスクランブリングコードを含み、この場合、CRC及び／又はスクランブリングコードは、物理ダウンリンク共有チャネルPDSCH情報をアップリンクサブフレームで受信するようにUEに指示するために使用される。
【０１８０】
随意的に、PDSCH情報を受信するようにUEに指示するために使用されるアップリンクサブフレームのサブフレーム数は、DCIを送信するために送信装置により使用されるダウンリンクサブフレームのサブフレーム数と同じである。
【０１８１】
随意的に、送信装置は、モード情報送信モジュール44を更に含む。
【０１８２】
モード情報送信モジュール44は、DCI送信モジュール41がダウンリンク制御情報DCIをダウンリンクサブフレームの物理ダウンリンク制御チャネルPDCCHで送信する前にダウンリンク伝送モード情報をユーザ機器UEへ送信するように構成され、この場合、ダウンリンク伝送モード情報は、ダウンリンク制御情報DCIのフォーマット情報を検出するようにUEに指示するために使用される。
【０１８３】
具体的には、モード情報送信モジュール44は、特に、無線リソース制御RRCシグナリングを使用することによってダウンリンク伝送モード情報をユーザ機器UEに送信するように構成される。
【０１８４】
随意的に、送信装置は、サブフレーム決定モジュール45を更に含む。
【０１８５】
サブフレーム決定モジュール45は、DCI送信モジュール41がダウンリンク制御情報DCIをダウンリンクサブフレームの物理ダウンリンク制御チャネルPDCCHで送信する前に、PDSCH情報を送信するために使用され得るアップリンクサブフレームを選択するとともに、DCIを送信するために使用されるダウンリンクサブフレームのサブフレーム数とPDSCH情報を送信するために使用されるアップリンクサブフレームのサブフレーム数との間の対応にしたがって、PDSCH情報を送信するために使用される選択されたアップリンクサブフレームのサブフレーム数に対応するダウンリンクサブフレームのサブフレーム数を決定するように構成される。
【０１８６】
DCI送信モジュール41は、具体的には、ダウンリンサブフレームの決定されたサブフレーム数に対応するダウンリンクサブフレームの物理ダウンリンク制御チャネルPDCCHでダウンリンク制御情報DCIを送信するように構成される。
【０１８７】
PDSCH送信モジュール42は、具体的には、選択されたアップリンクサブフレームでPDSCH情報を送信するように構成される。
【０１８８】
随意的に、PDSCH情報を送信するために基地局装置により使用されるアップリンクサブフレームは、PDSCH情報のみを送信するために使用され、PDCCH情報、物理制御フォーマット指示チャネルPCFICH情報、又は、物理ハイブリッド自動再送要求指示チャネルPHICH情報を送信するために使用されない。
【０１８９】
随意的に、アップリンクサブフレームはアップリンクキャリアで運ばれ、ダウンリンクサブフレームはダウンリンクキャリアで運ばれ、また、アップリンクキャリア及びダウンリンクキャリアは、周波数分割双方向FDDシステムで設定される無線スペクトルリソースである。
【０１９０】
本発明の実施形態5で提供される送信装置がハードウェア態様で実装されてもよく或いはソフトウェア態様で実装されてもよく、本明細書中では限定されないことに留意すべきである。加えて、本発明の実施形態5で提供される送信装置は、基地局装置内の論理ユニットであってもよく、或いは、基地局の機能を有する他の同様の装置内の論理構成要素であってもよい。
【０１９１】
送信装置を使用することにより、基地局装置はアップリンクサブフレームを柔軟にスケジュールすることができ、また、アップリンクサブフレームを使用することによりダウンリンクサービスを伝送するという目的が達成され、それにより、アップリンクサブフレームに対応する無線スペクトルリソースの利用が向上されるだけでなく、ダウンリンクサブフレームに対応する無線スペクトルリソースのロードプレッシャも効果的にそらされる。したがって、システムの無線スペクトルリソースの全体的な利用が向上される。
【０１９２】
実施形態6
図5に示されるように、図5は、本発明の実施形態6に係るダウンリンク制御情報受信装置の概略的な構造図である。本発明の実施形態6に係る受信装置は、本発明の実施形態3及び本発明の実施形態4の機能を有し、また、受信装置は、ダウンリンク制御情報DCI受信モジュール51及び物理ダウンリンク共有チャネルPDSCH情報受信モジュール52を含む。
【０１９３】
ダウンリンク制御情報DCI受信モジュール51は、基地局装置により送信されるダウンリンク制御情報DCIを受信するように構成され、この場合、DCIは、アップリンクサブフレームで物理ダウンリンク共有チャネルPDSCH情報を受信するようにUEに指示する。
【０１９４】
物理ダウンリンク共有チャネルPDSCH情報受信モジュール52は、DCI受信モジュールにより受信されるDCIにしたがって、基地局装置により送信されるPDSCH情報をアップリンクサブフレームで受信するように構成される。
【０１９５】
随意的に、受信装置は、通知メッセージ受信モジュール53を更に含む。
【０１９６】
通知メッセージ受信モジュール53は、基地局装置により送信される通知メッセージを受信するように構成され、この場合、通知メッセージは、DCIを送信するために使用されるダウンリンクサブフレームのサブフレーム数とPDSCH情報を送信するために使用されるアップリンクサブフレームのサブフレーム数との間の対応を示すために使用され、また、通知メッセージは、システム情報ブロックSIB又は無線リソース制御RRCシグナリングのうちの少なくとも1つ以上を含む。
【０１９７】
具体的には、DCI受信モジュール51は、具体的には、基地局装置により送信されるDCIをブラインド検出態様で受信するように構成される。
【０１９８】
随意的に、受信装置は、伝送モード情報受信モジュール54を更に含む。
【０１９９】
伝送モード情報受信モジュール54は、DCI受信モジュールが基地局装置により送信されるダウンリンク制御情報DCIを受信する前に基地局装置によって送信されるダウンリンク伝送モード情報を受信するように構成され、この場合、ダウンリンク伝送モード情報は、ダウンリンク制御情報DCIのフォーマット情報を検出するようにUEに指示するために使用される。
【０２００】
具体的には、DCI受信モジュール51は、特に、基地局装置により送信されるダウンリンク制御情報DCIに関してブラインド検出をダウンリンク伝送モード情報にしたがって行うように構成され、この場合、基地局装置により送信されるDCIは以下を満たす。すなわち、基地局装置により送信されるDCIのbitの量は、基地局装置により送信されるDCI format 0／format 1Aのbitの量と同じであり、また、基地局装置により送信されるDCIがチェックコードCRC及び／又はスクランブリングコードを含み、この場合、CRC及び／又はスクランブリングコードは、物理ダウンリンク共有チャネルPDSCH情報をアップリンクサブフレームで受信するようにUEに指示するために使用される。
【０２０１】
DCI受信モジュール51は、具体的には、DCIの断片が検出される度に、検出されたDCIのチェックコードCRCをスクランブリング又はマスキングC−RNTIコードxrnti，kを使用することによってデスクランブルする或いはデマスキングするとともに、デスクランブリング又はデマスキングの後に得られたCRCがbkであるかどうかを決定し、また、得られたCRCがbkでなければ、検出されたDCIのCRCをスクランブリング又はマスキングC−RNTIコードxrnti，k及びスクランブリングコードakを使用することによりデスクランブルする或いはデマスキングするとともに、デスクランブリング又はデマスキングの後に得られたCRCがCkであると決定されると、基地局装置により送信され且つPDSCH情報をアップリンクサブフレームで受信するようにUEに指示するために使用されるDCIが受信されると決定するように構成される。
【０２０２】
随意的には、受信装置はサブフレーム数決定モジュール55を更に含む。
【０２０３】
サブフレーム数決定モジュール55は、DCI受信モジュールが基地局装置により送信されるDCIを受信した後に、DCIが受信されるダウンリンクサブフレームのサブフレーム数を決定するように構成される。
【０２０４】
PDSCH情報受信モジュール52は、具体的には、DCIを送信するために使用されるダウンリンクサブフレームのサブフレーム数とPDSCH情報を送信するために使用されるアップリンクサブフレームのサブフレーム数との間の対応と、DCIが受信されるダウンリンクサブフレームの決定されたサブフレーム数とにしたがって、PDSCH情報を送信するために基地局装置により使用されるアップリンクサブフレームのサブフレーム数を決定するとともに、アップリンクサブフレームの決定されたサブフレーム数に対応するアップリンクサブフレームで、基地局装置により送信されるPDSCH情報を受信するように構成される。
【０２０５】
随意的に、受信装置は送信モジュール56を更に含む。
【０２０６】
送信モジュール56は、PDSCH情報受信モジュールがPDSCH情報を受信するときに肯定応答／否定応答ACK／NACKを基地局装置へ送信するように構成される。
【０２０７】
具体的には、送信モジュール56は、特に、DCIを受信するために使用されるダウンリンクサブフレームのサブフレーム数とACK／NACKを送信するために使用されるアップリンクサブフレームのサブフレーム数との間の対応にしたがって、ACK／NACKを送信するために使用されるアップリンクサブフレームのサブフレーム数を決定するとともに、アップリンクサブフレームの決定されたサブフレーム数に対応するアップリンクサブフレームでACK／NACKを送信するように構成される。
【０２０８】
具体的には、送信モジュール56は、PDSCH情報を受信するために使用されるアップリンクサブフレームのサブフレーム数とACK／NACKを送信するために使用されるアップリンクサブフレームのサブフレーム数との間の対応にしたがって、ACK／NACKを送信するために使用されるアップリンクサブフレームのサブフレーム数を決定するとともに、アップリンクサブフレームの決定されたサブフレーム数に対応するアップリンクサブフレームでACK／NACKを送信するように構成される。
【０２０９】
送信モジュール56は、具体的には、ACK／NACKを送信するために使用されるアップリンクサブフレームのサブフレーム数に対応するアップリンクサブフレームがダウンリンクサービスを送信するためにスケジュールされてしまったと決定される際、ダウンリンクサービスを送信するためにスケジュールされなかったアップリンクサブフレームであって、アップリンクサブフレームの決定されたサブフレーム数とのその差が最小であるアップリンクサブフレームを再選択して、その再選択されたアップリンクサブフレームでACK／NACKを送信するように構成される。
【０２１０】
本発明の実施形態6で提供される受信装置がハードウェア態様で実装されてもよく或いはソフトウェア態様で実装されてもよく、本明細書中では限定されないことに留意すべきである。加えて、本発明の実施形態6で提供される受信装置は、ユーザ機器内の論理ユニットであってもよく、或いは、他のモバイル装置内の論理構成要素であってもよい。
【０２１１】
本発明の実施形態5に係る送信装置と本発明の実施形態6に係る受信装置との間の協働により、基地局装置は、アップリンクサブフレームを柔軟にスケジュールすることができ、また、アップリンクサブフレームを使用することによりダウンリンクサービスを伝送するという目的が達成され、それにより、アップリンクサブフレームに対応する無線スペクトルリソースの利用が向上されるだけでなく、ダウンリンクサブフレームに対応する無線スペクトルリソースのロードプレッシャも効果的にそらされる。したがって、システムの無線スペクトルリソースの全体的な利用が向上される。
【０２１２】
実施形態7
図6に示されるように、図6は、本発明の実施形態7に係るダウンリンク制御情報送信装置の概略的な構造図である。本発明の実施形態7に係る送信装置は、本発明の実施形態1及び本発明の実施形態2における方法を行うことができ、また、送信装置は信号送信器61及びプロセッサ62を含み、この場合、信号送信器61及びプロセッサ62は通信バス63によって接続される。
【０２１３】
信号送信器61は、ダウンリンク制御情報DCIをダウンリンクサブフレームの物理ダウンリンク制御チャネルPDCCHで送信するように構成され、この場合、DCIは、アップリンクサブフレームで物理ダウンリンク共有チャネルPDSCH情報を受信するようにユーザ機器UEに指示するために使用される。
【０２１４】
信号送信器61は、PDSCH情報をアップリンクサブフレームで送信するように更に構成される。
【０２１５】
随意的に、信号送信器61は、通知メッセージをユーザ機器UEへ送信するように更に構成され、この場合、通知メッセージは、DCIを送信するために使用されるダウンリンクサブフレームのサブフレーム数とPDSCH情報を送信するために使用されるアップリンクサブフレームのサブフレーム数との間の対応を示すために使用され、また、通知メッセージは、システム情報ブロックSIB又は無線リソース制御RRCシグナリングのうちの少なくとも1つ以上を含む。
【０２１６】
随意的に、送信装置がDCIをダウンリンクサブフレームのPDCCHで送信することは、以下を満たす。すなわち、送信装置により送信されるDCIのbitの量は、送信装置により送信されるDCI format 0／format 1Aのbitの量と同じであり、また、送信装置により送信されるDCIがチェックコードCRC及び／又はスクランブリングコードを含み、この場合、CRC及び／又はスクランブリングコードは、物理ダウンリンク共有チャネルPDSCH情報をアップリンクサブフレームで受信するようにUEに指示するために使用される。
【０２１７】
随意的に、PDSCH情報を受信するようにUEに指示するために使用されるアップリンクサブフレームのサブフレーム数は、DCIを送信するために基地局装置により使用されるダウンリンクサブフレームのサブフレーム数と同じである。
【０２１８】
随意的に、信号送信器61は、ダウンリンク制御情報DCIをダウンリンクサブフレームの物理ダウンリンク制御チャネルPDCCHで送信する前に、ダウンリンク伝送モード情報をユーザ機器UEへ送信するように更に構成され、この場合、ダウンリンク伝送モード情報は、ダウンリンク制御情報DCIのフォーマット情報を検出するようにUEに指示するために使用される。
【０２１９】
具体的には、信号送信器61は、特に、無線リソース制御RRCシグナリングを使用することによってダウンリンク伝送モード情報をユーザ機器UEに送信するように構成される。
【０２２０】
随意的に、送信装置はプロセッサ62を更に含む。
【０２２１】
プロセッサ62は、ダウンリンク制御情報DCIがダウンリンクサブフレームの物理ダウンリンク制御チャネルPDCCHで送信される前に、PDSCH情報を送信するために使用され得るアップリンクサブフレームを選択するとともに、DCIを送信するために使用されるダウンリンクサブフレームのサブフレーム数とPDSCH情報を送信するために使用されるアップリンクサブフレームのサブフレーム数との間の対応にしたがって、PDSCH情報を送信するために使用される選択されたアップリンクサブフレームのサブフレーム数に対応するダウンリンクサブフレームのサブフレーム数を決定するように構成される。
【０２２２】
信号送信器61は、具体的には、ダウンリンサブフレームの決定されたサブフレーム数に対応するダウンリンクサブフレームの物理ダウンリンク制御チャネルPDCCHでダウンリンク制御情報DCIを送信するように構成される。
【０２２３】
信号送信器61は、PDSCH情報を選択されたアップリンクサブフレームで送信するように更に構成される。
【０２２４】
随意的に、PDSCH情報を送信するために送信装置により使用されるアップリンクサブフレームは、PDSCH情報のみを送信するために使用され、PDCCH情報、物理制御フォーマット指示チャネルPCFICH情報、又は、物理ハイブリッド自動再送要求指示チャネルPHICH情報を送信するために使用されない。
【０２２５】
随意的に、アップリンクサブフレームはアップリンクキャリアで運ばれ、ダウンリンクサブフレームはダウンリンクキャリアで運ばれ、また、アップリンクキャリア及びダウンリンクキャリアは、周波数分割双方向FDDシステムで設定される無線スペクトルリソースである。
【０２２６】
なお、プロセッサ62は、本発明の解決策におけるプログラムの実行を制御するために使用される一般的な中央処理ユニット（CPU）、マイクロプロセッサ、特定用途向け集積回路（Application Specific Integrated Circuit、ASIC）、又は、1つ以上の集積回路であってもよい。
【０２２７】
送信装置を使用することにより、基地局装置はアップリンクサブフレームを柔軟にスケジュールすることができ、また、アップリンクサブフレームを使用することによりダウンリンクサービスを伝送するという目的が達成され、それにより、アップリンクサブフレームに対応する無線スペクトルリソースの利用が向上されるだけでなく、ダウンリンクサブフレームに対応する無線スペクトルリソースのロードプレッシャも効果的にそらされる。したがって、システムの無線スペクトルリソースの全体的な利用が向上される。
【０２２８】
実施形態8
図7に示されるように、図7は、本発明の実施形態8に係るダウンリンク制御情報受信装置の概略的な構造図である。本発明の実施形態8に係る受信装置は、本発明の実施形態3及び本発明の実施形態4における方法を行うことができ、また、受信装置は信号受信器71及びプロセッサ72を含み、この場合、信号受信器71及びプロセッサ72は通信バス73によって接続される。
【０２２９】
信号受信器71は、基地局装置により送信されるダウンリンク制御情報DCIを受信するように構成され、この場合、DCIは、アップリンクサブフレームで物理ダウンリンク共有チャネルPDSCH情報を受信するようにUEに指示する。
【０２３０】
信号受信器71は、DCIにしたがって、基地局装置により送信されるPDSCH情報をアップリンクサブフレームで受信するように更に構成される。
【０２３１】
随意的に、信号受信器71は、基地局装置により送信される通知メッセージを受信するように更に構成され、この場合、通知メッセージは、DCIを送信するために使用されるダウンリンクサブフレームのサブフレーム数とPDSCH情報を送信するために使用されるアップリンクサブフレームのサブフレーム数との間の対応を示すために使用され、また、通知メッセージは、システム情報ブロックSIB又は無線リソース制御RRCシグナリングのうちの少なくとも1つ以上を含む。
【０２３２】
具体的には、信号受信器71は、具体的には、基地局装置により送信されるDCIをブラインド検出態様で受信するように構成される。
【０２３３】
随意的に、信号受信器71は、基地局装置により送信されるダウンリンク制御情報DCIを受信する前に、基地局装置によって送信されるダウンリンク伝送モード情報を受信するように更に構成され、この場合、ダウンリンク伝送モード情報は、ダウンリンク制御情報DCIのフォーマット情報を検出するようにUEに指示するために使用される。
【０２３４】
具体的に、信号受信器71は、基地局装置により送信されるダウンリンク制御情報DCIに関してブラインド検出をダウンリンク伝送モード情報にしたがって行うように構成され、この場合、基地局装置により送信されるDCIは以下を満たす。すなわち、基地局装置により送信されるDCIのbitの量は、基地局装置により送信されるDCI format 0／format 1Aのbitの量と同じであり、また、基地局装置により送信されるDCIがチェックコードCRC及び／又はスクランブリングコードを含み、この場合、CRC及び／又はスクランブリングコードは、物理ダウンリンク共有チャネルPDSCH情報をアップリンクサブフレームで受信するようにUEに指示するために使用される。
【０２３５】
具体的には、信号受信器71は、特に、DCIの断片が検出される度に、検出されたDCIのチェックコードCRCをスクランブリング又はマスキングC−RNTIコードxrnti，kを使用することによってデスクランブルする或いはデマスキングするとともに、デスクランブリング又はデマスキングの後に得られたCRCがbkであるかどうかを決定し、また、得られたCRCがbkでなければ、検出されたDCIのCRCをスクランブリング又はマスキングC−RNTIコードxrnti，k及びスクランブリングコードakを使用することによりデスクランブルする或いはデマスキングするとともに、デスクランブリング又はデマスキングの後に得られたCRCがCkであると決定されると、基地局装置により送信され且つPDSCH情報をアップリンクサブフレームで受信するようにUEに指示するために使用されるDCIが受信されると決定するように構成される。
【０２３６】
随意的に、受信装置はプロセッサ72を更に含む。
【０２３７】
プロセッサ7２は、信号受信器が基地局装置により送信されるDCIを受信した後に、DCIが受信されるダウンリンクサブフレームのサブフレーム数を決定するように構成される。
【０２３８】
信号受信器71は、具体的には、DCIを送信するために使用されるダウンリンクサブフレームのサブフレーム数とPDSCH情報を送信するために使用されるアップリンクサブフレームのサブフレーム数との間の受信された対応と、DCIが受信されるダウンリンクサブフレームの決定されたサブフレーム数とにしたがって、PDSCH情報を送信するために基地局装置により使用されるアップリンクサブフレームのサブフレーム数を決定するとともに、アップリンクサブフレームの決定されたサブフレーム数に対応するアップリンクサブフレームで、基地局装置により送信されるPDSCH情報を受信するように構成される。
【０２３９】
随意的に、受信装置は信号送信器74を更に含む。
【０２４０】
信号送信器74は、信号受信器がPDSCH情報を受信するときに肯定応答／否定応答ACK／NACKを基地局装置へ送信するように構成される。
【０２４１】
具体的には、信号送信器74は、DCIを受信するために使用されるダウンリンクサブフレームのサブフレーム数とACK／NACKを送信するために使用されるアップリンクサブフレームのサブフレーム数との間の対応にしたがって、ACK／NACKを送信するために使用されるアップリンクサブフレームのサブフレーム数を決定するとともに、アップリンクサブフレームの決定されたサブフレーム数に対応するアップリンクサブフレームでACK／NACKを送信するように構成される。
【０２４２】
具体的には、信号送信器74は、PDSCH情報を受信するために使用されるアップリンクサブフレームのサブフレーム数とACK／NACKを送信するために使用されるアップリンクサブフレームのサブフレーム数との間の対応にしたがって、ACK／NACKを送信するために使用されるアップリンクサブフレームのサブフレーム数を決定するとともに、アップリンクサブフレームの決定されたサブフレーム数に対応するアップリンクサブフレームでACK／NACKを送信するように構成される。
【０２４３】
具体的には、信号送信器74は、特に、ACK／NACKを送信するために使用されるアップリンクサブフレームのサブフレーム数に対応するアップリンクサブフレームがダウンリンクサービスを送信するためにスケジュールされてしまったと決定される際、ダウンリンクサービスを送信するためにスケジュールされなかったアップリンクサブフレームであって、アップリンクサブフレームの決定されたサブフレーム数とのその差が最小であるアップリンクサブフレームを再選択して、その再選択されたアップリンクサブフレームでACK／NACKを送信するように構成される。
【０２４４】
なお、プロセッサ72は、本発明の解決策におけるプログラムの実行を制御するために使用される一般的な中央処理ユニット（CPU）、マイクロプロセッサ、特定用途向け集積回路（Application Specific Integrated Circuit、ASIC）、又は、1つ以上の集積回路であってもよい。
【０２４５】
本発明の実施形態7に係る送信装置と本発明の実施形態8に係る受信装置との間の協働により、基地局装置は、アップリンクサブフレームを柔軟にスケジュールすることができ、また、アップリンクサブフレームを使用することによりダウンリンクサービスを伝送するという目的が達成され、それにより、アップリンクサブフレームに対応する無線スペクトルリソースの利用が向上されるだけでなく、ダウンリンクサブフレームに対応する無線スペクトルリソースのロードプレッシャも効果的にそらされる。したがって、システムの無線スペクトルリソースの全体的な利用が向上される。
【０２４６】
当業者であれば分かるように、本発明の実施例は、方法、機器（装置）、又は、コンピュータプログラムプロダクトとして提供されてもよい。したがって、本発明は、ハードウェアのみの実施形態、ソフトウェアのみの実施形態、又は、ソフトウェアとハードウェアとの組み合わせを伴う実施形態の形を使用してもよい。また、本発明は、コンピュータ使用可能プログラムコードを含む1つ以上のコンピュータ使用可能記憶媒体（ディスクメモリ、CD−ROM、光メモリ等を含むがこれらに限定されない）に実装されるコンピュータプログラムプロダクトの形態を使用してもよい。
【０２４７】
本発明は、本発明の実施形態に係る方法、機器（装置）、及び、コンピュータプログラムプロダクトのフローチャート及び／又はブロック図に関連して説明される。フローチャート内及び／又はブロック図内の各プロセス及び／又は各ブロック、及び、フローチャート内及び／又はブロック図内のプロセス及び／又はブロックの組み合わせを実施するためにコンピュータプログラム命令が使用されてもよいことが理解されるべきである。これらのコンピュータプログラム命令は、機械を生成するために、汎用コンピュータ、専用コンピュータ、組み込みプロセッサ、又は、任意の他のプログラマブルデータ処理装置のプロセッサのために与えられてもよく、それにより、任意の他のプログラマブルデータ処理装置のプロセッサ又はコンピュータにより実行される命令は、フローチャート内の1つ以上のプロセス及び／又はブロック図内の1つ以上のブロックにおける特定の機能を果たすための機器をもたらす。
【０２４８】
これらのコンピュータプログラム命令は、特定の態様で働くようにコンピュータ又は任意の他のプログラマブルデータ処理装置に指示できるコンピュータ可読メモリに記憶されてもよく、それにより、コンピュータ可読メモリ内に記憶される命令は、命令機器を含むアーチファクトを生成する。命令機器は、フローチャート内の1つ以上のプロセスにおいて及び／又はブロック図内の1つ以上のブロックにおいて特定の機能を果たす。
【０２４９】
これらのコンピュータプログラム命令がコンピュータ又は他のプログラマブルデータ処理装置に取り込まれてもよく、それにより、一連の動作及びステップがコンピュータ又は他のプログラマブル装置で行われ、その結果、コンピュータ実装処理がもたらされる。したがって、コンピュータ又は他のプログラマブル装置で実行される命令は、フローチャート内の1つ以上のプロセスにおいて及び／又はブロック図内の1つ以上のブロックにおいて特定の機能を果たすためのステップを与える。
【０２５０】
本発明の幾つかの好ましい実施形態を説明してきたが、当業者は、自分達が基本的な発明概念を学習した時点でこれらの実施形態に対して変更及び改良を成すことができる。したがって、以下の特許請求の範囲は、本発明の範囲内に入る全ての変更及び改良並びに好ましい実施形態を網羅するように解釈されるべく意図される。
【０２５１】
無論、当業者は、本発明の思想及び範囲から逸脱することなく、本発明に対して様々な変更及び変形を成すことができる。本発明は、これらの変更及び変形をそれらが以下の特許請求の範囲及びそれらの等価な技術により規定される保護範囲内に入る限りにおいて網羅するべく意図される。
【符号の説明】
【０２５２】
41  ダウンリンク制御情報DCI送信モジュール
42  物理ダウンリンク共有チャネルPDSCH情報送信モジュール
43  通知メッセージ送信モジュール
44  モード情報送信モジュール
45  サブフレーム決定モジュール
51  ダウンリンク制御情報DCI送信モジュール
52  物理ダウンリンク共有チャネルPDSCH情報受信モジュール
53  通知メッセージ受信モジュール
54  伝送モード情報受信モジュール
55  サブフレーム数決定モジュール
56  送信モジュール
61  信号送信器
62  プロセッサ
71  信号受信器
72  プロセッサ
74  信号送信器
【図１】
0006423524.tif 000002
【図２】
0006423524.tif 000003
【図３】
0006423524.tif 000004
【図４】
0006423524.tif 000005
【図５】
0006423524.tif 000006
【図６】
0006423524.tif 000007
【図７】
0006423524.tif 000008